(57)【特許請求の範囲】
【請求項１】
通信チャネルを介して送信するための物理層（ＰＨＹ）データユニットを生成する方法であって、
パイロットトーン極性シーケンス及びパイロットマッピング関数を利用して、第１のセットの直交周波数分割多重シンボル（ＯＦＤＭシンボル）に対する複数のパイロットトーン貢献シーケンス値を決定する段階であって、前記第１のセットのＯＦＤＭシンボルは、前記データユニットの信号フィールドに含まれるべきものである段階と、
前記パイロットトーン極性シーケンス及び前記パイロットマッピング関数を利用して、第２のセットのＯＦＤＭシンボルに対する複数のパイロットトーン貢献シーケンス値を決定する段階であって、前記第２のセットのＯＦＤＭシンボルは、前記データユニットのデータ部分に含まれるべきものであり、ｉ）前記パイロットトーン極性シーケンスは、ＯＦＤＭシンボルインデックスに依存し、ｉｉ）前記パイロットマッピング関数は、前記ＯＦＤＭシンボルインデックスの関数である、段階と、
前記第１のセットのＯＦＤＭシンボルに対して決定された前記複数のパイロットトーン貢献シーケンス値に基づいて変調された複数のパイロットトーンを含むように前記第１のセットのＯＦＤＭシンボルを生成する段階と、
前記第２のセットのＯＦＤＭシンボルに対して決定された前記複数のパイロットトーン貢献シーケンス値に基づいて変調された複数のパイロットトーンを含むように前記第２のセットのＯＦＤＭシンボルを生成する段階と、
前記信号フィールドを前記第１のセットのＯＦＤＭシンボルを含むよう生成する段階と、
前記データ部分を前記第２のセットのＯＦＤＭシンボルを含むよう生成する段階と、
前記データユニットを、（ｉ）前記信号フィールド、（ｉｉ）前記データ部分、及び（ｉｉｉ）前記信号フィールドと前記データ部分との間の１つ又は複数のトレーニングフィールドのセットを少なくとも含むよう生成する段階と
を備える方法。
【請求項２】
ＯＦＤＭシンボルに対する複数のパイロットトーン貢献シーケンス値を決定する段階は、少なくとも部分的に、前記ＯＦＤＭシンボルに対応しているＯＦＤＭシンボルインデックスに基づく、請求項１に記載の方法。
【請求項３】
前記第１のセットのＯＦＤＭシンボルを生成する段階は、第１のＯＦＤＭシンボルと第２のＯＦＤＭシンボルとを少なくとも生成する段階を含み、前記第１のＯＦＤＭシンボルに対して決定された前記複数のパイロットトーン貢献シーケンス値は、前記第２のＯＦＤＭシンボルに対して決定された対応する前記複数のパイロットトーン貢献シーケンス値とは異なる、請求項１又は２に記載の方法。
【請求項４】
前記第１のセットのＯＦＤＭシンボルの各ＯＦＤＭシンボルは、２つのパイロットトーンを含み、
前記第２のセットのＯＦＤＭシンボルの各ＯＦＤＭシンボルは、２つのパイロットトーンを含む、請求項１から３の何れか１項に記載の方法。
【請求項５】
前記パイロットマッピング関数に従って複数のパイロットトーン貢献シーケンス値を決定する段階は、
(a) {1,-1}又は(b) {-1,1}を選択する段階を含み、(a)及び(b)の異なるほうが、連続してインデックス付けされる複数のＯＦＤＭシンボルに対して選択される、請求項４に記載の方法。
【請求項６】
前記データユニットを生成する段階は更に、
前記データユニットに複数のロングトレーニングフィールドを含める段階と、
前記複数のロングトレーニングフィールドをマッピングマトリックスを利用して複数の空間ストリームにマッピングする段階と、
前記第１のセットのＯＦＤＭシンボルの複数のパイロットトーンを、前記マッピングマトリックスの列を利用して前記複数の空間ストリームにマッピングする段階であって、前記複数のパイロットトーンを前記複数の空間ストリームにマッピングするために利用される前記マッピングマトリックスの前記列は、前記マッピングマトリックスの第１列である段階と、
前記第２のセットのＯＦＤＭシンボルの複数のパイロットトーンを、前記マッピングマトリックスの前記列を利用して前記複数の空間ストリームにマッピングする段階と
を含む、請求項１から５の何れか１項に記載の方法。
【請求項７】
前記データユニットは、第１のデータユニットであり、前記パイロットトーン貢献シーケンスは、第１のパイロットトーン貢献シーケンスであり、
方法は更に、
第２のパイロットマッピング関数を利用して、第３のセットのＯＦＤＭシンボルに対する複数のパイロットトーン貢献シーケンス値を決定する段階であって、前記第３のセットのＯＦＤＭシンボルは、第２のデータユニットの信号フィールドに含められるべきものである段階と、
第３のパイロットマッピング関数を利用して、第４のセットのＯＦＤＭシンボルに対する複数のパイロットトーン貢献シーケンス値を決定する段階であって、前記第４のセットのＯＦＤＭシンボルは、前記第２のデータユニットのデータ部分に含められるべきものであり、前記第３のパイロットマッピング関数は、前記第２のパイロットマッピング関数と異なる段階と、
前記第３のセットのＯＦＤＭシンボルを、前記第３のセットのＯＦＤＭシンボルについて決定された前記複数のパイロットトーン貢献シーケンス値に基づいて変調された複数のパイロットトーンを含むよう生成する段階と、
前記第４のセットのＯＦＤＭシンボルを、前記第４のセットのＯＦＤＭシンボルについて決定された前記複数のパイロットトーン貢献シーケンス値に基づいて変調された複数のパイロットトーンを含むよう生成する段階と、
前記第２のデータユニットの前記信号フィールドを、前記第３のセットのＯＦＤＭシンボルを含むよう生成する段階と、
前記第２のデータユニットの前記データ部分を、前記第４のセットのＯＦＤＭシンボルを含むよう生成する段階と、
前記第２のデータユニットを、前記第２のデータユニットの前記信号フィールドと前記第２のデータユニットの前記データ部分とを少なくとも含むよう生成する段階と、
を備える、請求項１から６の何れか１項に記載の方法。
【請求項８】
前記第１のデータユニットは、低帯域幅モードで送信されるべき低帯域幅モードのデータユニットであり、
前記第２のデータユニットは、通常モードで送信されるべき通常モードのデータユニットである、請求項７に記載の方法。
【請求項９】
前記第３のセットのＯＦＤＭシンボルを生成する段階は、
第３のＯＦＤＭシンボルと第４のＯＦＤＭシンボルとを少なくとも生成する段階を含み、
前記第３のＯＦＤＭシンボルに対して決定された複数のパイロットトーン貢献シーケンス値は、前記第４のＯＦＤＭシンボルについて決定された対応する複数のパイロットトーン貢献シーケンス値と同じである、請求項７に記載の方法。
【請求項１０】
前記第３のパイロットマッピング関数に応じてＯＦＤＭシンボルに対する複数のパイロットトーン貢献シーケンス値を決定する段階は、少なくとも部分的に、前記ＯＦＤＭシンボルに対応しているＯＦＤＭシンボルインデックスに基づく、請求項７に記載の方法。
【請求項１１】
ネットワークインタフェースを備える装置であって、
前記ネットワークインタフェースは、
パイロットトーン極性シーケンス及びパイロットマッピング関数を利用して、第１のセットの直交周波数分割多重シンボル（ＯＦＤＭシンボル）に対する複数のパイロットトーン貢献シーケンス値を決定し、前記第１のセットのＯＦＤＭシンボルは、データユニットの信号フィールドに含められるべきものであり、
前記ネットワークインタフェースは、
前記パイロットトーン極性シーケンス及び前記パイロットマッピング関数を利用して、第２のセットのＯＦＤＭシンボルに対する複数のパイロットトーン貢献シーケンス値を決定し、前記第２のセットのＯＦＤＭシンボルは、前記データユニットのデータ部分に含められるべきものであり、ｉ）前記パイロットトーン極性シーケンスは、ＯＦＤＭシンボルインデックスに依存し、ｉｉ）前記パイロットマッピング関数は、前記ＯＦＤＭシンボルインデックスの関数であり、
前記ネットワークインタフェースは、
前記第１のセットのＯＦＤＭシンボルに対して決定された前記複数のパイロットトーン貢献シーケンス値に基づいて変調された複数のパイロットトーンを含むように前記第１のセットのＯＦＤＭシンボルを生成し、
前記第２のセットのＯＦＤＭシンボルに対して決定された前記複数のパイロットトーン貢献シーケンス値に基づいて変調された複数のパイロットトーンを含むように前記第２のセットのＯＦＤＭシンボルを生成し、
前記信号フィールドを前記第１のセットのＯＦＤＭシンボルを含むよう生成し、
前記データ部分を前記第２のセットのＯＦＤＭシンボルを含むよう生成し、
前記データユニットを、（ｉ）前記信号フィールド、（ｉｉ）前記データ部分、及び（ｉｉｉ）前記信号フィールドと前記データ部分との間の１つ又は複数のトレーニングフィールドのセットを少なくとも含むよう生成する、装置。
【請求項１２】
前記ネットワークインタフェースは、ＯＦＤＭシンボルに対する複数のパイロットトーン貢献シーケンス値を、少なくとも部分的に、前記ＯＦＤＭシンボルに対応しているＯＦＤＭシンボルインデックスに基づき決定する、請求項１１に記載の装置。
【請求項１３】
前記ネットワークインタフェースは、前記第１のセットのＯＦＤＭシンボルを、少なくとも第１のＯＦＤＭシンボルと第２のＯＦＤＭシンボルとを少なくとも生成することにより生成し、
前記第１のＯＦＤＭシンボルに対して決定された前記複数のパイロットトーン貢献シーケンス値の少なくとも幾つかは、前記第２のＯＦＤＭシンボルに対して決定された対応する前記複数のパイロットトーン貢献シーケンス値と異なる、請求項１１又は１２に記載の装置。
【請求項１４】
前記第１のセットのＯＦＤＭシンボルの各ＯＦＤＭシンボルは、２つのパイロットトーンを含み、
前記第２のセットのＯＦＤＭシンボルの各ＯＦＤＭシンボルは、２つのパイロットトーンを含む、請求項１１から１３の何れか１項に記載の装置。
【請求項１５】
前記ネットワークインタフェースは、前記パイロットマッピング関数に従って複数のパイロットトーン貢献シーケンス値を、少なくとも(a) {1,-1}又は(b) {-1,1}を選択することによって決定し、(a)及び(b)の異なるほうが、連続してインデックス付けされる複数のＯＦＤＭシンボルに対して選択される、前記請求項１４に記載の装置。
【請求項１６】
前記ネットワークインタフェースは更に、
前記データユニットに複数のロングトレーニングフィールドを含め、
前記複数のロングトレーニングフィールドをマッピングマトリックスを利用して複数の空間ストリームにマッピングし、
前記第１のセットのＯＦＤＭシンボルの複数のパイロットトーンを、前記マッピングマトリックスの列を利用して複数の空間ストリームにマッピングし、前記複数のパイロットトーンを前記複数の空間ストリームにマッピングするために利用される前記マッピングマトリックスの前記列は、前記マッピングマトリックスの第１列であり、
前記ネットワークインタフェースは更に、
前記第２のセットのＯＦＤＭシンボルの複数のパイロットトーンを、前記マッピングマトリックスの前記列を利用して前記複数の空間ストリームにマッピングする、請求項１１から１５の何れか１項に記載の装置。
【請求項１７】
前記データユニットは、第１のデータユニットであり、前記パイロットトーン貢献シーケンスは、第１のパイロットトーン貢献シーケンスであり、
前記ネットワークインタフェースは更に、
第２のパイロットマッピング関数を利用して、第３のセットのＯＦＤＭシンボルに対する複数のパイロットトーン貢献シーケンス値を決定し、前記第３のセットのＯＦＤＭシンボルは、第２のデータユニットの信号フィールドに含められるべきものであり、
前記ネットワークインタフェースは更に、
第３のパイロットマッピング関数を利用して、第４のセットのＯＦＤＭシンボルに対する複数のパイロットトーン貢献シーケンス値を決定し、前記第４のセットのＯＦＤＭシンボルは、前記第２のデータユニットのデータ部分に含められるべきものであり、前記第３のパイロットマッピング関数は、前記第２のパイロットマッピング関数と異なり、
前記ネットワークインタフェースは更に、前記第３のセットのＯＦＤＭシンボルを、前記第３のセットのＯＦＤＭシンボルについて決定された前記複数のパイロットトーン貢献シーケンス値に基づいて変調された複数のパイロットトーンを含むよう生成し、
前記第４のセットのＯＦＤＭシンボルを、前記第４のセットのＯＦＤＭシンボルについて決定された前記複数のパイロットトーン貢献シーケンス値に基づいて変調された複数のパイロットトーンを含むよう生成し、
前記第２のデータユニットの前記信号フィールドを、前記第３のセットのＯＦＤＭシンボルを含むよう生成し、
前記第２のデータユニットの前記データ部分を、前記第４のセットのＯＦＤＭシンボルを含むよう生成し、
前記第２のデータユニットを、前記第２のデータユニットの前記信号フィールドと前記第２のデータユニットの前記データ部分とを少なくとも含むよう生成する、請求項１１に記載の装置。
【請求項１８】
前記第１のデータユニットは、低帯域幅モードで送信されるべき低帯域幅モードのデータユニットであり、
前記第２のデータユニットは、通常モードで送信されるべき通常モードのデータユニットである、請求項１７に記載の装置。
【請求項１９】
前記ネットワークインタフェースは、前記第３のセットのＯＦＤＭシンボルを、少なくとも第３のＯＦＤＭシンボルと第４のＯＦＤＭシンボルとを少なくとも生成することにより生成し、
前記第３のＯＦＤＭシンボルに対して決定された複数のパイロットトーン貢献シーケンス値は、前記第４のＯＦＤＭシンボルについて決定された対応する複数のパイロットトーン貢献シーケンス値と同じである、請求項１７に記載の装置。
【請求項２０】
前記第３のパイロットマッピング関数に応じてＯＦＤＭシンボルに対する複数のパイロットトーン貢献シーケンス値を決定することは、少なくとも部分的に、前記ＯＦＤＭシンボルに対応しているＯＦＤＭシンボルインデックスに基づく請求項１７に記載の装置。
【発明の詳細な説明】
【技術分野】
【０００１】
［関連出願の相互参照］
本願は、以下の米国仮特許出願の恩恵を主張する。  ・２０１２年２月７日に出願された「パイロットシーケンス」なる名称の米国仮特許出願第61/595,897号。  ・２０１２年２月２７日に出願された「パイロットシーケンス」なる名称の米国仮特許出願第61/603,702号。・２０１２年３月１４日に出願された「パイロットシーケンス」なる名称の米国仮特許出願第61/610,704号。上述した特許出願の全ての開示の全体をここに参照として組み込む。
【０００２】
本開示は、概して通信ネットワークに関し、より詳しくは、長距離低電力無線ローカルエリアネットワークに関する。
【背景技術】
【０００３】
本明細書で提供される背景の説明は、本開示の背景を一般的に示すことを目的としている。この背景技術のセクションで説明される範囲において、本願発明の発明者らによる研究、および提出時点において先行技術として見なされ得ない説明の態様は、本開示の先行技術として明示的にも暗示的にも認められない。
【０００４】
インフラストラクチャモードで動作している場合、無線ローカルエリアネットワーク（ＷＬＡＮ）は典型的にはアクセスポイント（ＡＰ）および１または複数のクライアントステーションを含む。ＷＬＡＮは過去１０年の間に急速に進化した。米国電気電子技術者協会（ＩＥＥＥ）８０２．１１ａ、８０２．１１ｂ、８０２．１１ｇ、８０２．１１ｎ  ＳｔａｎｄａｒｄなどのＷＬＡＮ規格の開発は、シングルユーザピークデータスループットを向上させた。例えば、ＩＥＥＥ  ８０２．１１ｂ  Ｓｔａｎｄａｒｄは１１メガビット／秒（Ｍｂｐｓ）のシングルユーザピークスループットを特定し、ＩＥＥＥ  ８０２．１１ａ  Ｓｔａｎｄａｒｄおよび８０２．１１ｇ  Ｓｔａｎｄａｒｄは、５４Ｍｂｐｓのシングルユーザピークスループットを特定し、ＩＥＥＥ  ８０２．１１ｎ  Ｓｔａｎｄａｒｄは、６００Ｍｂｐｓのシングルユーザピークスループットを特定し、ＩＥＥＥ  ８０２．１１ａｃ  Ｓｔａｎｄａｒｄは、ギガビット／秒（Ｇｂｐｓ）範囲のシングルユーザピークスループットを特定する。
【０００５】
２つの新しい規格ＩＥＥＥ  ８０２．１１ａｈおよびＩＥＥＥ  ８０２．１１ａｆの研究が始まっている。それらはそれぞれ、サブ１ＧＨｚの周波数での無線ネットワーク動作を特定するであろう。低周波数通信チャネルは一般的に、より高い周波数での送信と比較して、よりよい伝搬品質およびより長い伝搬距離により特徴付けられる。過去においては、サブ１ＧＨｚ範囲は他の用途（例えば、認可されたＴＶ周波数帯域、無線周波数帯域、その他）のために確保されていたので、これらの周波数は無線通信ネットワークには利用されてこなかった。サブ１ＧＨｚ範囲には未認可の周波数帯域が殆どなく、異なる地理的領域においてそれぞれ異なる固有の未認可の周波数がある。ＩＥＥＥ  ８０２．１１ａｈ  Ｓｔａｎｄａｒｄは利用可能な未認可のサブ１ＧＨｚの周波数帯域の無線動作を特定するであろう。ＩＥＥＥ  ８０２．１１ａｆ  Ｓｔａｎｄａｒｄは、ＴＶホワイトスペース（ＴＶＷＳ）、つまりサブ１ＧＨｚの周波数帯域の未使用のＴＶチャネルでの無線動作を特定するであろう。
【発明の概要】
【０００６】
或る実施形態では、通信チャネルを介して送信するための物理層（ＰＨＹ）データユニットを生成するための方法が、パイロットマッピング関数を利用して、第１のセットの直交周波数分割多重（ＯＦＤＭ）シンボルに対するパイロットトーン貢献シーケンス値を決定することを含み、第１のセットのＯＦＤＭシンボルは、データユニットの信号フィールドに含まれるべきものである。方法は更に、パイロットマッピング関数を利用して、第２のセットのＯＦＤＭシンボルに対するパイロットトーン貢献シーケンス値を決定することを含み、第２のセットのＯＦＤＭシンボルは、データユニットのデータ部分に含まれるべきものである。方法は更に、第１のセットのＯＦＤＭシンボルに対して決定されたパイロットトーン貢献シーケンス値に基づいて変調されたパイロットトーンを含むように第１のセットのＯＦＤＭシンボルを生成することと、第２のセットのＯＦＤＭシンボルに対して決定されたパイロットトーン貢献シーケンス値に基づいて変調されたパイロットトーンを含むように第２のセットのＯＦＤＭシンボルを生成することとを含む。方法は更に、信号フィールドを第１のセットのＯＦＤＭシンボルを含むよう生成することと、データ部分を第２のセットのＯＦＤＭシンボルを含むよう生成することとを含む。方法は、加えて、データユニットを信号フィールドとデータ部分とを少なくとも含むよう生成することを含む。
【０００７】
別の実施形態では、装置が、パイロットマッピング関数を利用して、第１のセットの直交周波数分割多重（ＯＦＤＭ）シンボルに対するパイロットトーン貢献シーケンス値を決定するよう構成されたネットワークインタフェースを含み、第１のセットのＯＦＤＭシンボルは、データユニットの信号フィールドに含められるべきものである。ネットワークインタフェースは又、パイロットマッピング関数を利用して、第２のセットのＯＦＤＭシンボルに対するパイロットトーン貢献シーケンス値を決定するよう構成されており、第２のセットのＯＦＤＭシンボルは、データユニットのデータ部分に含められるべきものである。ネットワークインタフェースは更に、第１のセットのＯＦＤＭシンボルに対して決定されたパイロットトーン貢献シーケンス値に基づいて変調されたパイロットトーンを含むように第１のセットのＯＦＤＭシンボルを生成し、第２のセットのＯＦＤＭシンボルに対して決定されたパイロットトーン貢献シーケンス値に基づいて変調されたパイロットトーンを含むように第２のセットのＯＦＤＭシンボルを生成するよう構成されている。ネットワークインタフェースは更に、信号フィールドを第１のセットのＯＦＤＭシンボルを含むよう生成し、データ部分を第２のセットのＯＦＤＭシンボルを含むよう生成するよう構成されている。ネットワークインタフェースは、加えて、データユニットを、信号フィールドとデータ部分とを少なくとも含むよう生成するよう構成されている。
【図面の簡単な説明】
【０００８】
【図１】或る実施形態における例示的な無線ローカルエリアネットワーク（ＷＬＡＮ）のブロック図である。
【０００９】
【図２】或る実施形態における、通常モードのデータユニットを生成するための例示的なＰＨＹ処理ユニットの送信部分のブロック図である。
【００１０】
【図３】或る実施形態における、低帯域幅モードのデータユニットを生成するための例示的なＰＨＹ処理ユニットの送信部分のブロック図である。
【００１１】
【図４】或る実施形態における、低帯域幅モードのデータユニットを生成するための別の例示的なＰＨＹ処理ユニットの送信部分のブロック図である。
【００１２】
【図５】或る実施形態における、低帯域幅モードのデータユニットを生成するための別の例示的なＰＨＹ処理ユニットの送信部分のブロック図である。
【００１３】
【図６】或る実施形態における、異なる帯域幅をもつ例示的な通常モードのデータユニットを示す。
【００１４】
【図７】或る実施形態における例示的なマルチユーザデータユニットを示す。
【００１５】
【図８】或る実施形態における例示的な低帯域幅モードのデータユニットのプリアンブルを示す。
【００１６】
【図９】或る実施形態における、データユニットを生成する例示的な方法のフロー図である。
【発明を実施するための形態】
【００１７】
後述する実施形態では、無線ローカルエリアネットワーク（ＷＬＡＮ）のアクセスポイント（ＡＰ）等の無線ネットワークデバイスは、１又は複数のクライアントステーションにデータストリームを送信する。ＡＰは、少なくとも第１の通信プロトコルに従ってクライアントステーションに対する動作を行うように構成されている。第１の通信プロトコルは、サブ１ＧＨｚの周波数レンジの動作を規定しており、通常は、比較的低データレートの長距離無線通信を要する用途に利用される。第１の通信プロトコル（例えばIEEE 802.11afまたはIEEE 802.11ah）は、ここでは、「長距離」通信プロトコルと称される。幾つかの実施形態では、ＡＰはさらに、概して、より高い周波数レンジにおける動作を定義しており、および、通常、より高いデータレートでの、より近距離の通信に利用される、１又は複数の他の通信プロトコルに従って、クライアントステーションと通信するよう構成されている。より高い周波数通信プロトコル（例えばIEEE 802.11a、IEEE 802.11n、および／または、IEEE 802.11ac）が、ここでは「短距離」通信プロトコルと総称される。幾つかの実施形態では、長距離通信プロトコルに準拠している物理層（PHY）データユニット（「長距離データユニット」）は、短距離通信プロトコルに準拠したデータユニット（「短距離データユニット」）と同じまたは類似しているが、より低いクロックレートを利用して生成されている。こうするべく、或る実施形態では、APは、短距離動作に適したクロックレートで動作を行い、ダウンクロックを利用して、サブ１GHｚの動作に利用されるクロックを生成する。この結果、本実施形態では、長距離データユニットは、短距離データユニットの物理層フォーマットを維持するが、より長時間、送信される。
【００１８】
長距離通信プロトコルで規定される、この「通常モード」に加えて、幾つかの実施形態では、長距離通信プロトコルは、通常モードのために規定された最低の帯域幅及びデータレートと比較して低減した帯域幅及びデータレートを有する「低帯域幅モード」も規定している。より低いデータレートであるために、低帯域幅モードは、更に通信範囲を拡張し、概して受信機の感度を向上させる。低帯域幅モードに対応しているデータユニットは、通常モードに対応するデータユニットと同じクロックレートを利用して生成される（例えば、通常モードのデータユニットについて利用されるものと同じ比率でダウンクロックされる）。例えば、或る実施形態では、通常モード及び低帯域幅モードのデータユニットの直交周波数分割多重(OFDM)シンボルが、両方とも、同じサブキャリア／トーン間隔及びＯＦＤＭシンボル期間を有する。幾つかの実施形態では、通常モード及び／又は低帯域幅モードが、複数のＰＨＹサブモードを含む。一実施形態では、例えば、通常モードが、２ＭＨｚのデータユニットに対応する第１のサブモード、４ＭＨｚのデータユニットに対応する第２のサブモード、等を含み、低帯域幅モードは、１ＭＨｚのデータユニットのみに対応している。別の実施形態では、低帯域幅モードが、同様に、それぞれ異なる帯域幅（例えば１ＭＨｚ, ０．５ＭＨｚ等）を有するデータユニットに対応している複数のサブモードを含む。
【００１９】
低帯域幅モードの関数は、そのモードが利用される領域に依存していてよい。例えば、サブ１ＧＨｚの周波数で比較的大量のスペクトルが利用可能な米国のＩＥＥＥ８０２．１１ａｈシステムの一実施形態では、通常モード通信が、少なくとも最小帯域幅（例えば2ＭＨｚ, 又は2.5ＭＨｚ等）をもつチャネルを利用し、低帯域幅モードが、これより更に小さい帯域幅（例えば1ＭＨｚ又は1.25ＭＨｚ等）をもつ「制御モード」として機能する。或る実施形態では、ＡＰが、例えば、信号ビーコン又は関連プロシージャ、及び／又は、送信ビームフォーミングトレーニング動作のために制御モードを利用する。別の例として、サブ１ＧＨｚの周波数（例えば欧州又は日本）においてより低いスペクトルが利用可能な通信システムの一実施形態では、低帯域幅モードが、制御モードではなく、通常モードの拡張として機能する。
【００２０】
様々な実施形態では、一データユニットにおける１又は複数のＯＦＤＭシンボルが、概してデータユニットの受信機において位相トラッキング及び周波数オフセット補正に利用されるパイロットトーンを含む。幾つかの実施形態では、長距離通常モードのデータユニットのために利用されるパイロットトーンの位置及び値は、短距離通信プロトコルに従って選択される。他方、幾つかの実施形態では、長距離低帯域幅モードのデータユニットに利用されるパイロットトーンの位置及び／又は値は、短距離通信プロトコルに従っては選択されず、長距離通信プロトコルのために新たに設計される。
【００２１】
図１は、或る実施形態における、ＡＰ１４を含むＷＬＡＮ１０の例のブロック図である。ＡＰ１４は、ネットワークインタフェース１６に連結されたホストプロセッサ１５を含む。ネットワークインタフェース１６は、媒体アクセス制御（ＭＡＣ）処理ユニット１８と、物理層（ＰＨＹ）処理ユニット２０とを含む。ＰＨＹ処理ユニット２０は、複数の送受信機２１を含み、当該複数の送受信機２１が、複数のアンテナ２４に連結されている。３つの送受信機２１および３つのアンテナ２４が図１には示されているが、ＡＰ１４は、他の実施形態では異なる数の（例えば１、２、４、５等）送受信機２１およびアンテナ２４を含んでよい。
【００２２】
ＷＬＡＮ１０は、更に、複数のクライアントステーション２５を含む。図１には４つのクライアントステーション２５が示されているが、ＷＬＡＮ１０は、様々なシナリオおよび実施形態においては、異なる数の（例えば１、２、３、５、６等）のクライアントステーション２５を含んでよい。クライアントステーション２５の少なくとも１つは（例えばクライアントステーション２５−１）、少なくとも長距離通信プロトコルに従って動作するよう構成されている。幾つかの実施形態では、クライアントステーション２５の少なくとも１つ（例えばクライアントステーション２５−４）が、短距離通信プロトコルの１又は複数に少なくとも従って動作するよう構成された短距離クライアントステーションである。
【００２３】
クライアントステーション２５−１は、ネットワークインタフェース２７に連結されているホストプロセッサ２６を含む。ネットワークインタフェース２７は、ＭＡＣ処理ユニット２８とＰＨＹ処理ユニット２９とを含む。ＰＨＹ処理ユニット２９は、複数の送受信機３０を含み、当該複数の送受信機３０は複数のアンテナ３４に連結されている。３つの送受信機３０と３つのアンテナ３４とが図１には示されているが、クライアントステーション２５‐１は、他の実施形態では、異なる数の（例えば１、２、４、５等）の送受信機３０およびアンテナ３４を含むことができる。
【００２４】
幾つかの実施形態では、クライアントステーション２５−２、２５−３、および２５−４のうち１つ、幾つか、または全てが、クライアントステーション２５−１と同じ、または類似した構造を有している。これらの実施形態では、クライアントステーション２５−１と同じ、または類似した構造のクライアントステーション２５が、同じまたは異なる数の送受信機およびアンテナを有している。例えば、クライアントステーション２５−２は、一実施形態では、２つの送受信機および２つのアンテナのみを有している。
【００２５】
様々な実施形態では、ＡＰ１４のＰＨＹ処理ユニット２０は、長距離通信プロトコルに準拠しており後述するフォーマットを有するデータユニットを生成するよう構成されている。送受信機２１は、アンテナ２４を介して、生成されたデータユニットを送信するよう構成されている。同様に、送受信機２１は、アンテナ２４を介してデータユニットを受信するよう構成されている。様々な実施形態では、ＡＰ１４のＰＨＹ処理ユニット２０は、長距離通信プロトコルに準拠しており後述するフォーマットを有する、受信したデータユニットを処理するようにも構成されている。
【００２６】
様々な実施形態では、クライアントデバイス２５−１のＰＨＹ処理ユニット２９は、長距離通信プロトコルに準拠しており後述するフォーマットを有するデータユニットを生成するよう構成されている。送受信機３０は、アンテナ３４を介して、生成されたデータユニットを送信するよう構成されている。同様に、送受信機３０は、アンテナ３４を介してデータユニットを受信するよう構成されている。様々な実施形態では、クライアントデバイス２５−１のＰＨＹ処理ユニット２９は、長距離通信プロトコルに準拠しており後述するフォーマットを有する、受信されたデータユニットを処理するようにも構成されている。
【００２７】
幾つかの実施形態では、AP１４は、デュアルバンド構成で動作するよう構成されている。これらの実施形態では、AP１４は、短距離動作モードと長距離動作モードとの間を切り替えることができる。これらの実施形態の１つにおいては、短距離モードで動作するとき、AP１４は、短距離通信プロトコルの１又は複数に準拠したデータユニットを送信および受信する。長距離モードで動作するとき、AP１４は、長距離通信プロトコルに準拠したデータユニットを送信および受信する。同様に、幾つかの実施形態では、クライアントステーション２５−１は、デュアル周波数帯域動作を行うことができる。これら実施形態では、クライアントステーション２５−１は、短距離動作モードと長距離動作モードとの間を切り替えることができる。他の実施形態では、AP１４および／またはクライアントステーション２５−１は、長距離通信プロトコルによって長距離動作用に定義された様々な異なる低周波数帯域間で切り替えることができるデュアルバンドデバイスである。また別の実施形態では、AP１４および／またはクライアントステーション２５−１は、１つの長距離周波数帯域のみで動作するよう構成されたシングルバンドのデバイスである。
【００２８】
また別の実施形態では、クライアントステーション２５−１は、それぞれ異なる対応するＰＨＹモードをもつ異なる領域で動作することができるデュアルモードデバイスである。例えば、これらの実施形態の１つでは、クライアントステーション２５−１は、第１領域で動作するときに通常モードのＰＨＹを利用するよう、及び、第２領域（例えば利用可能なスペクトルがより少ない領域のこと）で動作するときに低帯域幅モードのＰＨＹを利用するよう構成されている。或る実施形態では、クライアントステーション２５−１は、送信機及び受信機の低帯域幅モード及び通常モードのベースバンド信号処理の間を切り替え、デジタルフィルタおよびアナログフィルタを切り替えて、各モードに適用可能な要件（例えば、送信機におけるスペクトルマスク要件、受信機における隣接するチャネルの干渉の要件等）を満たすことで、それぞれ異なる領域の通常モード及び低帯域幅モード間を切り替えることができる。しかし、或る実施形態では、クロックレート等のハードウェアの設定は、低帯域幅モード及び通常モード間を切り替えるときに変更されない。
【００２９】
一つの例示的な実施形態では、クライアントステーション２５−１が、米国（例えば２ＭＨｚ又はこれより広帯域のチャネル）で通常モードのＰＨＹを利用し、欧州及び／又は日本（例えば１ＭＨｚのチャネル）で低帯域幅モードを利用するデュアルモードデバイスである。この実施形態では、同じクロックレートがグローバルに利用され、それぞれ異なる帯域幅の信号を生成するために、それぞれ異なる逆離散フーリエ変換（ＩＤＦＴ）サイズ（例えば、２ＭＨｚ又はこれより広帯域の帯域幅の米国のチャネルには６４ポイント又はこれより大きいＩＤＦＴ、及び、１ＭＨｚの欧州／日本のチャネルには３２ポイントのＩＤＦＴ）が利用される。これらの実施形態の幾つかにおいては、低帯域幅モードも、米国の制御ＰＨＹのために利用される。
【００３０】
別の例示的な実施形態では、クライアントステーション２５−１が、米国では通常モードのＰＨＹ（例えば２ＭＨｚ又はこれより広帯域のチャネルのために）及び低帯域幅モードのＰＨＹ（例えば１ＭＨｚの帯域幅をもつ制御モードの信号のために）を利用して、欧州及び／又は日本では、低帯域幅モードのＰＨＹ（例えば１ＭＨｚのチャネルのために）を利用するデュアルモードデバイスである。この実施形態では、同じクロックレートがグローバルに利用され、それぞれ異なる帯域幅の信号を生成するために、それぞれ異なるＩＤＦＴサイズ（例えば、２ＭＨｚ又はこれより広帯域の帯域幅の米国のチャネルには６４ポイント又はこれより大きいＩＤＦＴ、及び、１ＭＨｚの米国の制御モードの信号及び１ＭＨｚの欧州／日本のチャネルの両方に３２ポイントのＩＤＦＴ）が利用される。
【００３１】
幾つかの実施形態では、クライアントステーション２５−１等のデバイスが、最小帯域幅の通常モードのデータユニット又は低帯域幅モードのデータユニットのいずれを生成する場合であっても、同じサイズのＩＤＦＴ（コンスタントなクロックレート）を利用する。例えば、一実施形態では、６４ポイントのＩＤＦＴが、２ＭＨｚの通常モードのデータユニットと、１ＭＨｚの低帯域幅モードのデータユニットの両方を生成するために利用され、後者の場合には適切なトーンがゼロにされる。これら実施形態の幾つかのシナリオにおいては、ＰＨＹモード間を変更する際、オンザフライでフィルタを変更する必要があり、同時に、より広帯域の（例えば２ＭＨｚ）チャネルに対するスペクトルマスク要件を持たす必要もある。他のシナリオでは、送信された低帯域幅モードの信号が、より広い帯域幅に対応するＩＤＦＴサイズを利用して送信された場合であっても、よりタイトで、より低い帯域幅スペクトルマスクの要件を満たす必要がある。
【００３２】
図２は、実施形態に係る、通常モードのデータユニットを生成するための例示的なＰＨＹ処理ユニット１００の送信部分のブロック図である。図１を参照すると、一実施形態において、ＡＰ１４のＰＨＹ処理ユニット２０、およびクライアントステーション２５−１のＰＨＹ処理ユニット２９はそれぞれ、ＰＨＹ処理ユニット１００と同様である、または同じである。実施形態によると、ＰＨＹ処理ユニット１００は、一般的に情報ビットストリームをスクランブルして、１またはゼロの長いシーケンスの発生を低減するスクランブラ１０２を含む。スクランブラ１０２にはエンコーダパーサー１０４が連結されている。エンコーダパーサー２０８は、情報ビットストリームを１又は複数のＦＥＣエンコーダ１０６に対応する１又は複数のエンコーダ入力ストリームに逆多重化する。
【００３３】
図２には２つのＦＥＣエンコーダ１０６が示されているが、様々な他の実施形態、および／またはシナリオにおいては、異なる数のＦＥＣエンコーダが含まれ、および／または、異なる数のＦＥＣエンコーダが並行して動作する。例えば、一実施形態では、ＰＨＹ処理ユニット１００は、４つのＦＥＣエンコーダ１０６を含み、および、１つ、２つ、３つ、または４つのＦＥＣエンコーダ１０６が、特定の変調符号スキーム（ＭＣＳ）、帯域幅、および空間ストリームの数に応じて同時に動作する。各ＦＥＣエンコーダ１０６は、対応する入力ストリームをエンコードして、対応するエンコードされたストリームを生成する。一実施形態において、各ＦＥＣエンコーダ１０６は、バイナリ畳み込みコーダ（ＢＣＣ）を含む。他の実施形態において、各ＦＥＣエンコーダ１０６は、パンクチャリングブロックがその後に続くＢＣＣを有する。他の実施形態において、各ＦＥＣエンコーダ１０６は、低密度パリティチェック（ＬＤＰＣ）エンコーダを含む。
【００３４】
ストリームパーサ１０８は、別個のインタリーブおよびコンスタレーションポイント／シンボルへのマッピングのために１又は複数のエンコードされたストリームを１又は複数の空間ストリーム（例えば、図２に示される例示的なＰＨＹ処理ユニット１００において４個のストリーム）へパースする。一実施形態では、ストリームパーサ１０８は、ＩＥＥＥ８０２．１１ｎ通信プロトコルに従って動作して、以下の式が満たされる。
【数１】
0006314342.tif 000002
ここでｓは、各NSS個の空間ストリームのコンスタレーションポイントの単一の軸に割り当てられた符号化されたビットの数であり、NBPSCSは、１つのサブキャリアに対するビット数である。或る実施形態では、各ＦＥＣエンコーダ１０６について（ＢＣＣ又はＬＤＰＣいずれであってもよい）、ｓ個の符号化されたビットの連続したブロックが、それぞれ異なる空間ストリームにラウンドロビン方式で割り当てられる。ＦＥＣエンコーダ１０６のセットが２又はそれ以上のＢＣＣエンコーダを含む幾つかの実施形態では、個々のＦＥＣエンコーダ１０６の出力を、各ラウンドロビンサイクルについて交互に利用して、つまり、最初に、第１のＦＥＣエンコーダ１０６からＳ個のビットをNSS個の空間ストリームに供給して、次に、第２のＦＥＣエンコーダ１０６からＳ個のビットをNSS個の空間ストリームに供給する、等であり、ここで以下の式が満たされる。
【数２】
0006314342.tif 000003
【００３５】
ＮＳＳ個の空間ストリームのうちそれぞれに対応し、隣り合う雑音のあるビットからなる長いシーケンスが受信機においてデコーダに入るのを防ぐべく、インタリーバ１１０は空間ストリームのビットをインタリーブする（つまり、ビットの順番を変更する）。より詳細には、インタリーバ１１０は、隣り合う符号化されたビットを、周波数領域において、または時間領域において、隣り合わない位置にマッピングする。実施形態においてインタリーバ１１０は、パラメータＮｃｏｌ、Ｎｒｏｗ、Ｎｒｏｔ（つまり、それぞれ列数、行数、および周波数回転パラメータ）が、長距離の通常モードのデータユニットの帯域幅に基づいた適切な値である点を例外として、ＩＥＥＥ８０２．１１ｎ通信プロトコルに従って動作する（つまり、複数のビットを異なるストリームに異なる方法で、周期的にシフトするための、各データストリームにおける２度の周波数置換、および、３番目の置換）。
【００３６】
また各空間ストリームに対応して、コンスタレーションマッパー１１２は、インタリーブされたビットのシーケンスを、ＯＦＤＭシンボルの異なるサブキャリア／トーンに対応するコンスタレーションポイントへマッピングする。より詳細には実施形態において、各空間ストリームに関し、コンスタレーションマッパー１１２はｌｏｇ２（Ｍ）の長さの全てのビットシーケンスをＭ個のコンスタレーションポイントのうち１つに変換する。コンスタレーションマッパー１１２は用いられているＭＣＳに応じて異なる数のコンスタレーションポイントを扱う。実施形態において、コンスタレーションマッパー１１２は、Ｍ＝２、４、１６、６４、２５６、および１０２４を取り扱う直交振幅変調（ＱＡＭ）マッパーである。  他の実施形態において、コンスタレーションマッパー１１２は、｛２，４，１６，６４，２５６，１０２４｝のセットの少なくとも２つの値から成る異なるサブセットに等しいＭに対応する異なる変調方式を扱う。
【００３７】
実施形態では、各時空間ブロック符号化（ＳＴＢＣ）ユニット１１４は、１又は複数の空間ストリームに対応するコンスタレーションポイントを受信して、空間ストリームを、(NSTS)個の時空間ストリームに分散させる。いくつかの実施形態において、ＳＴＢＣユニット１１４は省略される。ＳＴＢＣユニット１１４には循環シフトダイバーシティ（ｃｙｃｌｉｃ  ｓｈｉｆｔ  ｄｉｖｅｒｓｉｔｙ）（ＣＳＤ）ユニット１１６が連結されている。ＣＳＤユニット１１６は、意図しないビームフォーミングを防ぐべく、１つを除いた全ての時空間ストリーム（１より多い時空間ストリームが存在する場合）に循環シフトを挿入する。説明を容易にするべく、ＣＳＤユニット１１６への入力は、ＳＴＢＣユニット１１４が省略された実施形態においても時空間ストリームと呼ぶ。
【００３８】
空間マッピングユニット１２０は、ＮＳＴＳ個の時空間ストリームをＮＴＸ個の送信チェーンへマッピングする。様々な実施形態において、空間マッピングは、１）各時空間ストリームからのコンスタレーションポイントが送信チェーンへ直接的にマッピングされる直接マッピング（つまり１対１のマッピング）、２）全ての時空間ストリームからのコンスタレーションポイントのベクトルがマトリックスの乗算を用いて拡大され、送信チェーンへの入力が生成される空間的拡大、３）全ての時空間ストリームからのコンスタレーションポイントの各ベクトルがステアリングベクトルのマトリックスにより乗算され、送信チェーンへの入力が生成されるビームフォーミングのうち１又は複数を含む。空間マッピングユニット１２０の各出力は１個の送信チェーンに対応し、空間マッピングユニット１２０の各出力に対しては、複数のコンスタレーションポイントからなるブロックを時間領域信号へ変換するＩＤＦＴ計算ユニット１２２（例えば、逆高速フーリエ変換（ＩＦＦＴ）計算ユニット）により処理が行われる。ＩＤＦＴユニット１２２の出力は、実施形態においてＯＦＤＭシンボルの円形の拡張であるガードインターバル（ＧＩ）部分をＯＦＤＭシンボルへプリペンドし、スペクトル遅延を増加させるべくＯＦＤＭシンボルのエッジを滑らかにするＧＩ挿入／ウィンドウイングユニット１２４へ提供される。ＧＩ挿入／ウィンドウイングユニット１２４の出力は、信号をアナログ信号へ変換し、信号をＲＦ周波数にアップコンバートして送信するアナログ及び無線周波数（ＲＦ）ユニット１２６へ提供される。様々な実施形態、および／またはシナリオにおいて、信号は、２ＭＨｚ、４ＭＨｚ、８ＭＨｚ、または１６ＭＨｚの帯域幅のチャネル（例えば、ユニット１２２におけるそれぞれ６４、１２８、２５６、または５１２ポイントのＩＤＦＴに対応しており、ＩＤＦＴサイズに関わらずコンスタントなクロックレートを利用する）で送信される。他の実施形態において、他の適したチャネル帯域幅（および／またはＩＤＦＴサイズ）が用いられる。通常モードに対応する長距離データユニットは、２０１２年１月６日に提出した「Physical Layer Frame Format for Long Range WLAN」なる名称の米国特許出願第13/359,336号明細書により詳しく説明されており、この全体をここに参照として組み込む。
【００３９】
低帯域幅モード通信は概して、通常モード通信よりもロバストであり、拡張された範囲の通信をサポートしている感度利得を有している。例えば、通常モードが通常モードのデータユニットを生成するために６４ポイントのＩＤＦＴを利用し（例えば２ＭＨｚの帯域幅信号のために）、低帯域幅モードのデータユニットを生成するために低帯域幅モードが３２ポイントのＩＤＦＴを利用する（例えば１ＭＨｚの帯域幅信号のために）或る実施形態では、低帯域幅モードが、約３ｄＢの感度の利得を提供する。別の例として、通常モードが通常モードのデータユニットを生成するために６４ポイントのＩＤＦＴを利用し（例えば２ＭＨｚの帯域幅信号のために）、低帯域幅モードのデータユニットを生成するために低帯域幅モードが１６ポイントのＩＤＦＴを利用する（例えば０．５ＭＨｚの帯域幅信号のために）或る実施形態では、低帯域幅モードが、約６ｄＢの感度の利得を提供する。さらに、幾つかの実施形態では、低帯域幅モードが、データユニットの少なくとも幾つかのフィールドにビットの冗長又は繰り返しを導入して、更にデータレートを低下させる。例えば、様々な実施形態及び／又はシナリオでは、低帯域幅モードが、後述する１又は複数の繰り返し及び符号スキームに従って、低帯域幅モードのデータユニットのデータ部分及び／又は信号フィールドに冗長を導入する。例えば低帯域幅モードがビットの２倍の繰り返しを含む実施形態では、更なる３ｄＢの感度の利得が得られるだろう。また更に、幾つかの実施形態では、低帯域幅モードが、通常モードの最低データレートのＭＣＳに従って、又は、通常モードの最低データレートのＭＣＳより低いＭＣＳに従って、ＯＦＤＭシンボルを生成することで、感度を向上させる。例として或る実施形態では、通常モードのデータユニットが、ＭＣＳ０（１／２の二相位相変調（ＢＰＳＫ）変調及び符号化レート）からＭＣＳ９（５／６の直交振幅変調（ＱＡＭ）及び符号化レート）とともに、より高いデータレートに対応しているより高いオーダのＭＣＳ等を含むＭＣＳのセットから選択された特定のＭＣＳに従って生成される。このような実施形態の１つにおいて、低帯域幅モードのデータユニットが、ＭＣＳ０によって定義されるように変調及び符号化を利用して生成される。別の実施形態では、ＭＣＳ０が、低帯域幅モードのデータユニットについてのみ確保され、通常モードのデータユニットには利用できない。
【００４０】
図３から図５は、様々な実施形態における低帯域幅モードのデータユニットを生成するための例示的なＰＨＹ処理ユニットの送信部分のブロック図である。図１を参照すると、様々な実施形態において、ＡＰ１４のＰＨＹ処理ユニット２０及びクライアントステーション２５−１のＰＨＹ処理ユニット２９が、それぞれ、図３から図５に示すＰＨＹ処理ユニットのいずれか１つと類似していたり同じであったりしてよい。幾つかの実施形態では、図３から図５のＰＨＹ処理ユニットが、図２のＰＨＹ処理ユニット１００と同じハードウェアに対応しているが、通常モード又は低帯域幅モードのデータユニットのいずれが生成されているかに応じて、ハードウェア内で利用される信号処理オペレーションが異なる。
【００４１】
図３のＰＨＹ処理ユニット１５０は、或る実施形態では、図２のスクランブラ１０２に類似したスクランブラ１５２を含む。スクランブラ１５２は、１又は複数のＦＥＣエンコーダ１５４に連結されており、これは或る実施形態では、図２のＦＥＣエンコーダ１０６に類似している。ＰＨＹ処理ユニット１５０が２またはそれ以上のＦＥＣエンコーダ１５４を含む実施形態では、図２のエンコーダパーサ１０４に類似したエンコーダパーサ（不図示）が、スクランブラ１５２とＦＥＣエンコーダ１５４との間に連結される。
【００４２】
ストリームパーサ１５８は、ＦＥＣエンコーダ１５４の出力に連結される。ストリームパーサ１５８は、或る実施形態では図２のストリームパーサ１０８と類似しているが（例えば、上述した式１及び２が満たされる）、例外として、上述した式１及び２において関連するパラメータ（例えばNBPSCS及びNSS）が、低帯域幅モードのシステムパラメータと整合する（例えば、低帯域幅モードのデータユニットに１つの空間ストリームだけが許可されている場合には、NSS = 1が満たされる）。ストリームパーサ１５８は、インタリーバ１６０に連結される。インタリーバ１６０は、或る実施形態では図２のインタリーバ１１０に類似しているが、例外として、低帯域幅のデータユニットの帯域幅に基づけば、Ncol, Nrow, 及びNrotというパラメータが適した値である。例えば、最低帯域幅の通常モードのデータユニットが、６４ポイントのＩＤＦＴを利用して生成された２ＭＨｚのデータユニットであり、低帯域幅モードのデータユニットが、３２ポイントのＩＤＦＴを利用して生成され、２４ＯＦＤＭデータトーンを有する１ＭＨｚのデータユニットである様々な実施形態では、以下の３つのオプションの１つが実行される。
【数３】
0006314342.tif 000004
【数４】
0006314342.tif 000005
【数５】
0006314342.tif 000006
及び、Nrotが{2, 3, 4, 5, 6, 7, 8}のうちの１つである。例えば、１つの特定の実施形態では、式４が満たされ、Nrot = 2である。別の例として、最低帯域幅の通常モードのデータユニットが、６４ポイントのＩＤＦＴを利用して生成された２ＭＨｚのデータユニットであり、低帯域幅モードのデータユニットが、１６ポイントのＩＤＦＴを利用して生成され、１２ＯＦＤＭデータトーンを有する０．５ＭＨｚのデータユニットである様々な実施形態では、以下の２つのオプションの１つが実行される。
【数６】
0006314342.tif 000007
【数７】
0006314342.tif 000008
及び、Nrotが[2, 3, 4, 5]のうちの１つである。
【００４３】
各空間ストリームに対応して、コンスタレーションマッパー１６２が、インタリーブされたビットのシーケンスを、ＯＦＤＭシンボルのそれぞれ異なるサブキャリア／トーンに対応しているコンスタレーションポイントにマッピングする。コンスタレーションマッパー１６２は、或る実施形態では、図２のコンスタレーションマッパー１１２に類似している。
【００４４】
上述した任意のＭＣＳ制約に加えて、またはこれに代えて（例えば、低帯域幅モードのデータユニットだけが、最低ＭＣＳを利用することを許可される、等）、様々な実施形態で、低帯域幅モードのデータユニットのために許可されたＭＣＳが、以下の式を満たすＭＣＳである。
【数８】
0006314342.tif 000009
【数９】
0006314342.tif 000010
【数１０】
0006314342.tif 000011
【数１１】
0006314342.tif 000012
本式においてNCBPSは、１つのシンボルについて符号化されているビットの数であり、NDBPSは、１つのシンボルについての符号化されていないビットの数であり、NESは、ＢＣＣエンコーダの数であり、ｍ及びｎは整数であり、Ｒは符号化レートであり、DRは、符号化レートの分母である（つまりR = 1/2のときDR = 2であり、R = 2/3のときDR = 3であり、R = 3/4のときDR = 4であり, 及び、R = 5/6のときDR = 5である）。或る実施形態では、NESが低帯域幅モードのデータユニットについて常に１に等しい（つまり、１つの空間ストリーム及び１つのＢＣＣエンコーダが、低帯域幅モードで利用される）。他の実施形態では、NESが、低帯域幅モードのデータユニットについて１を超える適切な数である。
【００４５】
或る実施形態では、ＳＴＢＣユニット１６４（例えば図２のＳＴＢＣユニット１１４に類似している）が、１又は複数の空間ストリームに対応しているコンスタレーションポイントを受信して、空間ストリームを複数の時空間ストリームに分散させる。複数のＣＳＤユニット１６６（例えば図２のＣＳＤユニット１１６に類似している）が、ＳＴＢＣユニット１６４に連結されており、ＳＴＢＣユニット１６４が、空間マッピングユニット１７０（例えば図２の空間マッピングユニット１２０に類似している）に連結されている。空間マッピングユニット１７０の各出力は、送信チェーンに対応しており、空間マッピングユニット１２０の各出力は、ＩＤＦＴユニット１７２によって処理される。ＩＤＦＴユニット１７２は、ある実施形態では、図２のＩＤＦＴユニット１２２に類似しており、ＩＤＦＴユニット１２２と同じクロックレートを利用するが、どの通常モードのデータユニットより小さいサイズのＩＤＦＴを利用する。例えば、通常モードのデータユニットが６４ポイント又はこれより大きいＩＤＦＴを利用して生成される一実施形態では、低帯域幅モードのデータユニットが、３２ポイントのＩＤＦＴを利用して生成される。通常モードのデータユニットが６４ポイント又はこれより大きいＩＤＦＴを利用して生成される別の実施形態では、低帯域幅モードのデータユニットが、１６ポイントのＩＤＦＴを利用して生成される。通常モードのデータユニットが６４ポイント又はこれより大きいＩＤＦＴを利用して生成されるまた別の実施形態では、低帯域幅モードのデータユニットが、低帯域幅モードのうちの２つのＰＨＹサブモードのいずれが選択されるかに応じて、１６ポイント又は３２ポイントいずれかのＩＤＦＴを利用して生成される。
【００４６】
ＩＤＦＴユニット１７２の出力は、ＧＩ挿入及びウィンドウイングユニット１７４（図２のＧＩ挿入及びウィンドウイングユニット１２４に類似している）に提供され、ＧＩ挿入及びウィンドウイングユニット１７４の出力は、アナログ及びＲＦユニット１７６（図２のアナログ及びＲＦユニット１２６に類似している）に提供される。一実施形態では、生成された低帯域幅モードのデータユニットが次に、低帯域幅モードの周波数帯域で送信される。通常モードの送信が２ＭＨｚ又はこれより大きい帯域幅（例えば４ＭＨｚ、８ＭＨｚ等）のチャネルを利用する一実施形態では、低帯域幅モードの送信に対する周波数帯域は１ＭＨｚである。同様の他の実施形態では、０．５ＭＨｚ又は最小通常モードのチャネル帯域幅未満の別の適した帯域幅が利用される。
【００４７】
図３の例示的なＰＨＹ処理ユニット１５０は、複数の空間ストリームを含むが（１つが各インタリーバ１６０及びコンスタレーションマッパー１６２についてである）、他の実施形態では、低帯域幅モードは単一の空間ストリームのみを利用する。例えば、低帯域幅モードは、１つの空間ストリームしか利用されないＭＣＳ（例えば上述したＭＣＳ０）に限定される。これら実施形態の幾つかにおいては、ストリームパーサ１５８が省かれる、又は利用されない。更に、幾つかの実施形態では、ＳＴＢＣユニット１６４及び／又はＣＳＤユニット１６６が省かれる。更に、ＦＥＣエンコーダ１５４が、ＢＣＣエンコーダではなくてＬＤＰＣエンコーダである一実施形態では、インタリーバ１６０が省かれる。或る実施形態では、通常モードに利用される同じＬＤＰＣパリティマトリックス及びパラメータが、低帯域幅モードにも利用され、パンクチャ／短縮／パディングプロシージャが、低帯域幅モードに対応するNCBPS及びNDBPSの値を利用する（それぞれ、１つのシンボルについての符号化されたデータビットの数及び１つのシンボルについての符号化されていないデータビットの数）。幾つかの実施形態では、低帯域幅モードに利用されるパディングプロシージャが、２０１２年２月３日に提出された「Control Mode PHY for WLAN」なる名称の米国出願第13/366,064号に記載された任意のこれらプロシージャに対応しており、この開示の全体を参照としてここに組み込む。
【００４８】
図４及び図５は、データレートを低下させて受信機感度を向上させるために繰り返しを利用する実施形態において、低帯域幅モードのデータユニットを生成するための例示的なＰＨＹ処理ユニットの送信部分を示す。説明を容易にするために、図４及び図５では特定のユニットを示さない（これらユニットが幾つかの実施形態では含まれているとしても）。様々な実施形態において、例えばＰＨＹ処理ユニットのそれぞれは、スクランブラを含み、図４及び図５に示す送信フローに入力された情報ビットがスクランブルされたビットとなるようにする。幾つかの実施形態においては、低帯域幅モードのみが、図４又は図５の繰り返しを、ＢＰＳＫ変調とともに及び／又は単一の時空間ストリームとともに利用して、そうでない場合には、繰り返しを利用しない（例えば図３の例示的なＰＨＹ処理ユニット１５０に示すように）。
【００４９】
図４は、ビットをコンスタレーショシンボルにマッピングする前に、例示的なＰＨＹ処理ユニット２００が、ＢＣＣエンコードされたビットの繰り返しを利用して低帯域幅モードのデータユニットを生成する実施形態を示す。ＢＣＣエンコーダ２０４は、情報ビットを受け付けて、ＢＣＣエンコードされたビットをブロックエンコーダ２０６に出力する。ブロックエンコーダ２０６は、様々な実施形態において、ビットレベルの繰り返し（例えば２倍の繰り返しにおいて[b1 b1, b2 b2, …]）又はブロックレベルの繰り返し（例えばブロックサイズ１２の２倍の繰り返しにおいて[b1…b12, b1…b12, b13…b24, b13…b24, …]）を提供する。１つの例示的な実施形態では、２倍の繰り返し（レート１／２のブロック符号化）が利用される。別の例示的な実施形態では、４倍の繰り返し（レート１／４のブロック符号化）が利用される。ブロックエンコーダ２０６の出力は、ビットフリップユニット２１０に連結され、このユニットが、選択ビット（例えば１つ置きのビット）の符号又は極性を変更し、生成されたＯＦＤＭ信号のピーク対平均電力比（ＰＡＰＲ）を低減させる。幾つかの実施形態では、ビットフリップユニット２１０は、ＰＨＹ処理ユニット２００に含まれていない。
【００５０】
ビットフリップユニット２１０の（又は、ユニット２１０が省かれている場合にはブロックエンコーダ２０６の）出力を、ＢＣＣインタリーバ２１２に連結させる。或る実施形態では、ＢＣＣインタリーバ２１２は、図３のインタリーバ１６０に類似している。幾つかの実施形態では、ＢＣＣインタリーバ２１２が、ＰＨＹ処理ユニット２００に含まれていない。ＢＣＣインタリーバ２１２の（又は、ＢＣＣインタリーバ２１２が省かれている場合にはビットフリップユニット２１０又はブロックエンコーダ２０６の）出力を、コンスタレーションマッパー２１４に連結させる。或る実施形態では、コンスタレーションマッパー２１４は、図２のコンスタレーションマッパー１１２に類似している。コンスタレーションマッパー２１４が低帯域幅モードのデータユニットを生成するために利用するコンスタレーションサイズは、ＭＣＳモードによって決定され、幾つかの実施形態では、これは、上述した通常モードのデータユニットについて利用される最低ＭＣＳ（又は最低ＭＣＳより小さいＭＣＳ）である。
【００５１】
コンスタレーションマッパー２１４の出力は、ＩＤＦＴユニット２１６に連結される。或る実施形態では、ＩＤＦＴユニット２１６は、図３のＩＤＦＴユニット１７２（例えば、通常モードのデータユニットについての６４ポイント又はこれより大きいＩＤＦＴと比較して、３２ポイント又は１６ポイントのＩＤＦＴを利用する）に類似している。ＩＤＦＴユニット２１６の出力は、幾つかの実施形態では、ＣＳＤユニット２１８に連結されている。ＰＨＹ処理ユニット２００が、複数の送信チェーンを介して送信するための低帯域幅モードのデータユニットを生成するよう動作する実施形態またはシナリオでは、ＣＳＤユニット２１８が、循環シフトを、１つを除く全ての送信チェーンに挿入することで、意図しないビームフォーミングを防ぐ。他の実施形態では、ＣＳＤユニット２１８が省かれる。ＣＳＤユニット２１８の（又はＣＳＤユニット２１８が省かれている場合にはＩＤＦＴユニット２１６の）出力が、ＧＩ挿入及びウィンドウイングユニット２２０に連結され、ＧＩ挿入及びウィンドウイングユニット２２０の出力がアナログ及びＲＦユニット２２２に連結される。様々な実施形態及び／又はシナリオでは、生成された低帯域幅モードのデータユニットが、次に、１ＭＨｚ又は０．５ＭＨｚの帯域幅のチャネル（例えば３２ポイント又は１６ポイントのＩＤＦＴユニット２１６にそれぞれ対応している）で送信される。他の実施形態では、最小の通常モードのチャネル帯域幅未満の１又は複数の他の適切なチャネル帯域幅（例えば他のＩＤＦＴサイズに対応している）が利用される。
【００５２】
ＩＤＦＴユニット２１６が低帯域幅モードのデータユニットに対する２４のデータトーンを持つＯＦＤＭシンボルを生成するために３２ポイントのＩＤＦＴを利用する、より具体的な例の実施形態では、ＢＣＣエンコーダ２０４が、１つのＯＦＤＭシンボルについて６情報ビットを受信して、１つのＯＦＤＭシンボルについて１２ビットを出力するレート１／２のＢＣＣエンコーダであり、ブロックエンコーダ２０６は、ブロックレベルの繰り返しを利用して１つのＯＦＤＭシンボルについて２４ビットを出力するレート１／２（２倍の繰り返しの）ブロックエンコーダであり、２４の出力ビットは、通常のＢＣＣインタリーバを利用してインタリーブされ、コンスタレーションマッピングユニット２１４は、ＢＰＳＫ変調技術を利用する。
【００５３】
１つの別の実施形態では、ブロックエンコーダ２０６が、ＢＣＣエンコーダ２０４よりも図４の送信フローにおいて前にあり（つまり、ビットの繰り返しがＢＣＣエンコードの前に行われる）、ビットフリップユニット２１０が省かれている。また別の実施形態では、ブロックエンコーダ２０６が、代わりに、コンスタレーションマッパー２１４の出力に連結されており（つまり、コンスタレーションポイントの繰り返しのために）、ビットフリップユニット２１０が省かれている。これら後者の実施形態のうちの幾つかにおいては、位相シフトユニット（図４では不図示）が、ブロックエンコーダ２０６の出力に連結されることで、ＯＦＤＭ信号のＰＡＰＲを低減させ、位相シフトユニットの出力がＩＤＦＴユニット２１６に連結されている。その実施形態で位相シフトユニットが含まれていない場合には、代わりに、ブロックエンコーダ２０６の出力がＩＤＦＴユニット２１６に連結される。様々な実施形態では、処理ユニット２００が、米国出願第13/366,064号明細書で説明されている繰り返し技術のいずれかを利用するよう構成されている。
【００５４】
図５は、或る実施形態における、低帯域幅モードのデータユニットを生成するための別の例示的なＰＨＹ処理ユニット３５０の送信部分のブロック図である。概して、図５に示されている様々なユニットは、図４の同様のユニットに類似している。しかしながら図４の例示的な実施形態とは異なり、ブロックエンコーダ３５４に連結されているＢＣＣエンコーダ３５２は、加えて、ＬＤＰＣエンコードも利用し、ストリームパーサ３５６、ＳＴＢＣユニット３６０、及び空間マッピングユニット３６２が、ＰＨＹ処理ユニット３５０内に含まれていることにより、複数の空間ストリーム及び時空間ストリームをサポートする。更に、或る実施形態では、ＣＳＤユニット３６４に加えて、ＳＴＢＣユニット３６０の後に、第２のセットのＣＳＤユニット３６６を時空間ストリームのそれぞれに利用する。或る実施形態では、第２のセットのＣＳＤユニット３６６は、１を超える数の時空間ストリームが送信される場合のみに適用され、これにより、ショートトレーニングフィールド中の意図されないビームフォーミング（これは、主に、受信機側で自動利得制御（ＡＧＣ）利得をセットするために利用される）を低減させる。他の実施形態では、ＣＳＤユニット３６６が省かれる。更に幾つかの実施形態では、ビットフリップユニット３７０及び／又はＢＣＣインタリーバ３７２が省かれる。更に幾つかの実施形態では、ブロックエンコーダ３５４及びビットフリップユニット３７０は、１を超える数の時空間ストリームが送信されるときだけに適用される。
【００５５】
ＩＤＦＴユニット３７４が低帯域幅モードのデータユニットに対する２４のデータトーンを持つＯＦＤＭシンボルを生成するために３２ポイントのＩＤＦＴを利用する、より具体的な例の実施形態では、ＢＣＣ／ＬＤＰＣエンコーダ３５２が、１つのＯＦＤＭシンボルについて12 x NSSビットを出力するレート１／２のＢＣＣ／ＬＤＰＣエンコーダであり（ここでNSSは空間ストリームの数である）、ブロックエンコーダ３５４は、ブロックレベルの繰り返しを利用して１つのＯＦＤＭシンボルについて２４ｘNSSビットを出力するレート１／２の（２倍の繰り返しの）ブロックエンコーダであり、各コンスタレーションマッパー３７６は、ＢＰＳＫ変調を利用する。
【００５６】
１つの別の実施形態では、ビット繰り返しが、ストリームパーサ３５６の前ではなくて、ストリームパーサ３５６の後に行われる（つまり各空間ストリームで）。例えば或る実施形態では、ブロックエンコーダ３５４及び（存在している場合には）ビットフリップユニット３７０が、各空間ストリーム内に、ストリームパーサ３５６と対応するＢＣＣインタリーバ３７２との間に連結されて、含まれている。ビット繰り返しがストリームパーサ３５６の前に行われる実施形態同様に、幾つかの実施形態において、ビット繰り返しはビット毎に、他の実施形態では、ブロックレベルで適用される。
【００５７】
図６は、或る実施形態における、異なる帯域幅をもつ例示的な通常モードのデータユニット６００、６２０を示す。通常モードのデータユニット６００、６２０は、短距離プロトコルに準拠しているダウンクロックされたバージョンのデータユニットである。図６に示す特定の実施形態においては、通常モードのデータユニット６００、６２０が、「グリーンフィールド」（混合モードではない）プリアンブルを利用するＩＥＥＥ８０２．１１ｎのデータユニットのダウンクロックされたバージョンである。他の実施形態では、通常モードのデータユニット６００、６２０は、他の短距離プロトコルに準拠したデータユニットのダウンクロックされたバージョンである。
【００５８】
通常モードのデータユニット６００は、最低の通常モードのチャネル帯域幅（例えば６４ポイントのＩＤＦＴを利用する２ＭＨｚ）に対応しており、ショートトレーニングフィールド（ＳＴＦ）６０２、第１のロングトレーニングフィールド（ＬＴＦ１）６０４−１、信号（ＳＩＧ）フィールド６０６、残りのＬＴＦ６０４−２から６０４―Ｎ（例えば、１つの空間ストリームについて１つの追加のＬＴＦ）及びデータ（ＤＡＴＡ）部分６０８を利用する。概して、ＳＴＦ６０２は、パケット検出、初期同期、及び自動利得制御等に利用され、ＬＴＦ６０４は、チャネル推定及び高度な同期に利用され、ＳＩＧフィールド６０６は、データユニットの送信に利用される信号帯域幅（例えばデータユニット６００について２ＭＨｚ）、変調タイプ、及び符号化レート等の、データユニット６００の特定の物理層（ＰＨＹ）パラメータを搬送するために利用される。或る実施形態では、ＳＴＦ６０２、ＬＴＦ１  ６０４−１及びＳＩＧフィールド６０６のそれぞれが、２つのＯＦＤＭシンボルを含み、残りのＬＴＦ６０４−２から６０４−Ｎのそれぞれが、１つのＯＦＤＭシンボルを含む。他の実施形態では、ＳＴＦ６０２、ＬＴＦ１  ６０４−１、ＳＩＧフィールド６０６、及び／又は残りのＬＴＦ６０４−２から６０４−Ｎが、他の適切な数のＯＦＤＭシンボルを含む。
【００５９】
より高い帯域幅の通常モードのデータユニットでは、ＳＴＦ，ＬＴＦ，及びＳＩＧフィールドが、複数のサブバンドのそれぞれで複製され、各サブバンドは、最低の通常モードのチャネル帯域幅に等しい帯域幅を有する。例えば、データユニット６００が最低帯域幅の通常モードのデータユニットであり、２ＭＨｚの帯域幅を有している場合、データユニット６２０は、ＳＴＦ６２２，ＬＴＦ６２４、及びＳＩＧフィールド６２６を、各２ＭＨｚ帯域において、プリアンブルとしてデータ部分６２８に複製して、データ部分６２８は、周波数複製なしに（４ＭＨｚ）帯域幅全体を占める。通常モードのデータユニット６００又は６２０を検出する受信機は、或る実施形態において、ＳＩＧフィールド６０６及び／又はＳＩＧフィールド６２６の帯域幅情報に基づいてデータユニットの帯域幅を決定することができる。
【００６０】
図７は、或る実施形態における例示的なマルチユーザデータユニット７００を示す。或る実施形態では、ＡＰ１４が、マルチユーザデータユニット７００をクライアントステーション２５の複数（multiple ones）に送信するよう構成されている。マルチユーザデータユニット７００は、データユニット７００の意図されてい各受信者に共通なＰＨＹ情報、及び、クライアントステーション２５それぞれに対して異なる（または「ユーザ固有の」）内容を搬送するためのそれぞれ異なる空間チャネルを介してアンテナ２４によって同時に送信されるそれぞれ異なるクライアントステーション２５に対するそれぞれ異なる情報を含むマルチユーザ（ＭＵ）部分７２２を含む「全方向」部分７０２を含む。全方向部分７２０は、ショートトレーニングフィールド（ＳＴＦ）７０２、第１のロングトレーニングフィールド（ＬＴＦ１）７０４−１、及び信号フィールド（ＳＩＧＡ）７０６を含む。ＭＵ部分７２２は、マルチユーザショートトレーニングフィールド（ＭＵ−ＳＴＦ）７０８、複数のマルチユーザロングトレーニングフィールド（ＭＵ−ＬＴＦ）７１０−１から７１０−Ｎ、第２の信号（ＳＩＧＢ）フィールド７１２、及びデータ部分７１４を含む。或る実施形態では、ＳＴＦ７０２、ＬＴＦ１  ７０４、及びＳＩＧＡフィールド７０６のそれぞれが、２つのＯＦＤＭシンボルを含む。他方で、ＭＵ−ＬＴＦ７１０−１から７１０−Ｎ及びＳＩＧＢフィールド７１２のそれぞれが、或る実施形態では、ＯＦＤＭシンボルを１つだけ含む。他の実施形態では、ＳＴＦ７０２、ＬＴＦ１  ７０４、及びＳＩＧＡフィールド７０６、ＭＵ−ＬＴＦ７１０−１から７１０−Ｎ及び／又はＳＩＧＢフィールド７１２が、他の適切な数のＯＦＤＭシンボルを含む。
【００６１】
図８は、或る実施形態における例示的な低帯域幅モードのデータユニット８００のプリアンブルを示す。低帯域幅モードのデータユニット８００は、通常モードのデータユニット６００、６２０と同じクロックレートを利用するが、帯域幅を低減させるためにより小さいサイズのＩＤＦＴを利用して生成される。例えば、通常モードのデータユニット６００及び６２０が２ＭＨｚ及び４ＭＨｚの帯域幅にそれぞれ対応している（６４及び１２８ポイントのＩＤＦＴを利用して生成される）一実施形態では、低帯域幅モードのデータユニット８００が、１ＭＨｚの帯域幅を持ち、３２ポイントのＩＤＦＴを利用して生成される。通常モードのデータユニット６００同様に、低帯域幅モードのデータユニット８００は、ＳＴＦ８０２、ＬＴＦ１  ８０４−１、ＳＩＧフィールド８０６、及び残りのＬＴＦ８０２−２から８０４−Ｎを含む（例えば、１を超える数の空間ストリームが低帯域幅モードのデータユニットについて利用される場合には１つの空間ストリームについて１つの追加のＬＴＦが含まれる）。幾つかの実施形態では、低帯域幅モードのデータユニット８００の様々なフィールドが、通常モードのデータユニット６００の対応するフィールドと比較して、より長く、より多くのＯＦＤＭシンボルを含む。例えば、或る実施形態では、ＳＴＦ８０２及びＬＴＦ１  ８０４−１のそれぞれが、４つのＯＦＤＭシンボルを含む。他の実施形態では、ＳＴＦ８０２及び／又はＬＴＦ１  ８０４−１は、他の適切な数のＯＦＤＭシンボルを含む。ＳＩＧフィールド８０６の長さは、異なる実施形態では異なる。一実施形態では、ＳＩＧフィールド８０６が、５個のＯＦＤＭシンボルを含む。別の実施形態では、ＳＩＧフィールド８０６が、６個のＯＦＤＭシンボルを含む。概して、ＳＩＧフィールド８０６は、任意の適切な数NSIGのＯＦＤＭシンボルを含む。
【００６２】
様々な実施形態においては、通常モードのデータユニット（例えばデータユニット６００、６２０、７００）の１又は複数のＯＦＤＭシンボルのそれぞれ、及び／又は、低帯域幅モードのデータユニット（例えばデータユニット８００）の１又は複数のＯＦＤＭシンボルのそれぞれが、概してキャリア周波数オフセット、位相トラッキング、位相雑音推定等のために利用される１又は幾つかのパイロットトーンを含む。概して、幾つかの実施形態において、ＯＦＤＭシンボル内の１又は幾つかのパイロットトーンは、既知のパイロットトーン値で変調されるが、これにより、データユニットを受信するデバイスは、受信デバイスと、データユニットを送信したデバイスとの間の位相トラッキングを実行したり、及び／又は、高度な周波数調整を行うことができるようになる。特定の数のパイロットトーン及びパイロットトーンを変調するために利用される特定の値は、例えばデータユニットの帯域幅及び／又はデータユニットのタイプ等の様々な要素に依存する。
【００６３】
図６を参照すると、或る実施形態では、データユニット６００のＬＴＦフィールド６０４、ＳＩＧフィールド６０６及びデータ部分６０８がそれぞれ、１又は複数のパイロットトーンを含む。同様に、或る実施形態では、データユニット６２０のＬＴＦフィールド６２４、ＳＩＧフィールド６２６、及びデータ部分６２８がそれぞれ、１又は複数のパイロットトーンを含む。図７を参照すると、或る実施形態では、データユニット７００のＬＴＦ１  フィールド７０４、ＳＩＧＡフィールド７０６、ＭＵ−ＬＴＦ７１０、ＳＩＧＢフィールド７１２、及びデータ部分７１４がそれぞれ、１又は複数のパイロットトーンを含む。図８の低帯域幅のデータユニット８００に関して、或る実施形態では、ＬＴＦ８０４、ＳＩＧフィールド８０６、及びデータ部分８０８がそれぞれ、１又は複数のパイロットトーンを含む。ＯＦＤＭシンボル内のパイロットトーンの特定の位置及びＯＦＤＭシンボル内のパイロットトーンを変調するために利用される特定のパイロットトーン値は、データユニットのタイプ、データユニット内のＯＦＤＭシンボルインデックス、ＯＦＤＭシンボルが生成される帯域幅等の様々な要素に依存するが、これに関しては、少なくとも幾つかの実施形態において後で詳述する。
【００６４】
ＯＦＤＭシンボルに含まれるパイロットトーンの数、及び、ＯＦＤＭシンボル内のパイロットトーンのために確保されるサブキャリアの位置は、或る実施形態では、ＯＦＤＭシンボルの帯域幅に依存する。２ＭＨｚのＯＦＤＭシンボル（つまり、２ＭＨｚの帯域幅チャネルで送信されるデータユニットの一部分のために生成されるＯＦＤＭシンボルのこと）は、或る実施形態において例えば、サブキャリアインデックス{±7, ±21}に４つのパイロットトーンを含む。４ＭＨｚのＯＦＤＭシンボル（つまり、４ＭＨｚの帯域幅チャネルで送信されるデータユニットの一部分のために生成されるＯＦＤＭシンボルのこと）は、或る実施形態においてサブキャリア位置インデックス{±11, ±25, ±53}に６つのパイロットトーンを含む。８ＭＨｚのＯＦＤＭシンボル（つまり、８ＭＨｚの帯域幅チャネルで送信されるデータユニットの一部分のために生成されるＯＦＤＭシンボルのこと）は、或る実施形態においてサブキャリアインデックス{±103, ±75, ±39, ±11}に８つのパイロットトーンを含む。１６ＭＨｚのＯＦＤＭシンボルにおいては（つまり１６ＭＨｚの帯域幅チャネルで送信されるデータユニットの一部について生成されるＯＦＤＭシンボルのこと）、各８ＭＨｚのサブバンドが、或る実施形態においては、８ＭＨｚのＯＦＤＭシンボルについて上述した位置におけるパイロットトーンを含む。故に、本実施形態では、１６ＭＨｚのＯＦＤＭシンボルが、サブキャリアインデックス{±231, ±203, ±167, ±139, ±117, ±89, ±53, ±25}において１６個のパイロットトーンを含む。低帯域幅のデータユニットについて生成された１ＭＨｚのＯＦＤＭシンボルは、或る実施形態において、サブキャリアインデックス{±7}において２つのパイロットトーンを含む。様々な帯域幅についてのＯＦＤＭシンボルは、他の実施形態では、他の適切な数のパイロットトーン及び／又はＯＦＤＭシンボルにおける他の適切なサブキャリアインデックスにおけるパイロットトーンを含む。
【００６５】
或る実施形態では、送信アンテナ２４（又は送信アンテナ３４）で見られるＯＦＤＭシンボルのパイロットトーンが、以下のように表される。
【数１２】
0006314342.tif 000013
ここで、ｋは、トーンインデックスを表し、ｎはＯＦＤＭシンボルインデックスを表し、ＮＴＸは、ＯＦＤＭシンボルを送信するために利用される送信アンテナの数であり、ＮＳＴＳは、ＯＦＤＭシンボルを送信する空間（spatial or space）トーンストリームの数であり、Ｑは空間マッピングマトリックスであり、
【数Ｎ】
0006314342.tif 000014
は、ｋ番目のトーンの時間領域の循環シフトを表す直交要素をもつ直交マトリックスであり、Ｐ＊１は、概してログトレーニングフィールド（log training fields）を複数の空間ストリームにマッピングするために利用されるＰ個のマッピングマトリックスの第１列であり、ｐｋ（ｎ）は、ｋ番目のサブキャリアおよびｎ番目のＯＦＤＭシンボルに対するパイロットトーン値である。この場合、式１２に従って生成されたパイロットトーンは、単一のストリームパイロットトーンであり、ロングトレーニングフィールド（ＬＴＦ）を複数の空間ストリームにマッピングするために利用されるマッピングマトリックスの単一の行（例えば第１の行）を利用して複数の空間ストリームにマッピングされたものである。少なくとも幾つかの実施形態では、同じＯＦＤＭシンボルのデータトーンが、或る実施形態では、各空間ストリームについてそれぞれ異なるベクトル（例えばマッピングマトリックスＰの異なる列）を利用して複数の空間ストリームにマッピングされるマルチストリームデータトーンである場合であっても、パイロットトーンがシングルストリームパイロットトーンとして送信される。パイロットトーンを単一のストリームトーンについて送信することにより、受信デバイスは、空間ストリームのそれぞれについてチャネルマトリックスを取得する前に、パイロットトーンを利用することができる（例えば位相トラッキング、周波数オフセット推定等のために）。従って、これらの実施形態では、例えばデータユニットの第１のロングトレーニングシーケンスＬＴＦ１を利用して、データユニットの後続するフィールドで受信されたパイロットトーンを利用することにより、第１の空間ストリームについてチャネルマトリックスを決定するだけで足る。
【００６６】
式１２の参照を続けると、幾つかの実施形態及び／又はシナリオにおいて、特定のＯＦＤＭシンボルのパイロットトーンに対するパイロットトーン値ｐｋ（ｎ）が、ＯＦＤＭシンボルを生成しているデータユニットの部分又はフィールドに応じて、第１のパイロットマッピング関数を利用して又は第２のパイロットマッピング関数を利用して、決定される。例えば、通常モードのデータユニットのプリアンブルの信号フィールドについて生成された２ＭＨｚのＯＦＤＭシンボルについて、パイロットトーン値を以下のように決定する。
【数１３】
0006314342.tif 000015
ここで、ｐｎは、以下の式において与えられる１２７個の要素の擬似乱数シーケンスの循環拡張によって決定されるパイロットトーン極性である。
【数１４】
0006314342.tif 000016
及び、ＰＫは、以下の式で与えられるパイロットマッピング関数である。
【数１５】
0006314342.tif 000017
【００６７】
この場合、パイロットマッピング関数Ｐｋによって生成されるパイロットトーン貢献値シーケンスは、ＯＦＤＭシンボルインデックスから独立している。言い換えると、或る実施形態では、パイロットは、パイロットマッピング関数が利用される各ＯＦＤＭシンボルに対する同じパイロットトーン貢献値シーケンスを生成する。他の実施形態においては、シンボルインデックスから独立した他の適切な擬似乱数シーケンス及び／又は他の適切なパイロットマッピング関数が、データユニットの一部（例えば信号フィールド）に利用される。
【００６８】
他方で、データユニットの異なる部分について、例えばデータユニットのあるデータ部分について、幾つかの実施形態において、ＯＦＤＭシンボルに対応しているＯＦＤＭシンボルインデックスに依存した、またはその関数であるＯＦＤＭシンボルに対するパイロットトーン貢献シーケンスを生成するパイロットマッピング関数を利用して、パイロットトーン値が決定される。これらの実施形態では、これらのＯＦＤＭシンボルにおけるパイロットトーン貢献シーケンス値が、データユニット内のＯＦＤＭシンボルインデックスに基づいているパイロットマッピングを利用して決定される。例えば、一実施形態では、これらＯＦＤＭシンボルのパイロットトーン貢献シーケンス値が、以下に従って決定される。
【数１６】
0006314342.tif 000018
ここで、パイロットトーン極性シーケンスｐｎは、式１４で与えられ、ａは、パイロットトーン極性シーケンスｐｎへのインデックス付けを修正する整数であり、
【数Ｏ】
0006314342.tif 000019
は、トーンインデックスｋ及びＯＦＤＭシンボルインデックスｎの関数としてパイロットトーン値を生成するパイロットマッピング関数である。或る実施形態では、ａの値が、式１６が利用される第１のＯＦＤＭシンボルの前のインデックス付けされたＯＦＤＭシンボルの数（例えば式１３でインデックス付けされたＯＦＤＭシンボルの数）に依存する。例えば、式１３がデータユニットの信号フィールドのＯＦＤＭシンボルのパイロットトーン値を決定するために利用され、信号フィールドが２つのＯＦＤＭシンボルを含む場合に、整数ａ＝２である。式１６のパイロットマッピング関数
【数Ｐ】
0006314342.tif 000020
は、式１３のパイロットマッピング関数Ｐｋに類似しているが、パイロットマッピング関数
【数Ｑ】
0006314342.tif 000021
がＯＦＤＭシンボルインデックスｎの関数であり、或る実施形態において、通常、任意の２つの連続したＯＦＤＭシンボルについてそれぞれ異なるパイロットトーン貢献シーケンスを生成する。
【００６９】
幾つかの実施形態では、ＯＦＤＭシンボルについてのパイロット値を決定するために利用される特定のパイロットマッピング関数は、ＯＦＤＭシンボルが生成されているデータユニットの（又はデータユニットの部分の部分の）帯域幅に依存する。例えば、或る実施形態においては、２ＭＨｚのＯＦＤＭシンボルについてのパイロットマッピング関数
【数Ｒ】
0006314342.tif 000022
が、以下のようにして与えられる。
【数１７】
0006314342.tif 000023
ここで、ψｍは、以下のように与えられる。
【表１】
0006314342.tif 000024
【００７０】
同様に、或る実施形態では、４ＭＨｚのＯＦＤＭシンボルについて、式１６のパイロットマッピング関数
【数Ｓ】
0006314342.tif 000025
が以下のように与えられる。
【数１８】
0006314342.tif 000026
がダブっている。ここで、ψｍは、以下のように与えられる。
【表２】
0006314342.tif 000027
【００７１】
更に、或る実施形態において、８ＭＨｚのＯＦＤＭシンボルについて、式１６におけるパイロットマッピング関数
【数Ｔ】
0006314342.tif 000028
が、或る実施形態では以下のように与えられる。
【数１９】
0006314342.tif 000029
ここで、ψｍは、以下のように与えられる。
【表３】
0006314342.tif 000030
【００７２】
１６ＭＨｚのＯＦＤＭシンボルについて、式１９及び表３により与えられるパイロットマッピング関数が、或る実施形態では、各８ＭＨｚのサブバンドに利用される。
【００７３】
他の実施形態では、ＯＦＤＭシンボルインデックスに基づく他の適切なパイロットマッピングが、様々な帯域幅のＯＦＤＭシンボルについて利用される。
【００７４】
様々な実施形態において、式１３及び式１６がそれぞれ利用されて、通常モードのデータユニットの様々な異なる部分についてのパイロットトーン値を決定する（例えば、図６のシングルユーザの通常モードのデータユニット６００、６２０、マルチユーザの通常モードのデータユニット７００、別の通常モードのデータユニット、別の適切な通常モードのデータユニット等）。例えば式１３は、データユニット６００のＳＩＧフィールド６０６のＯＦＤＭシンボルのパイロット値を決定するために利用され、式１６は、或る実施形態において、データ部分６０８のＯＦＤＭシンボルのパイロット値を決定するために利用される。データユニット６００は２ＭＨｚのデータユニットなので、データ部分６０８は、２ＭＨｚのＯＦＤＭシンボルを含み、或る実施形態では、データ部分６０８のＯＦＤＭシンボルに対する特定のパイロット貢献シーケンスが、式１７及び表１を利用して決定される。同様に、或る実施形態では、式１３を利用して、ＳＩＧフィールド６２６のＯＦＤＭシンボルに対するパイロット値を決定して、式１６を利用して、データ部分６２８のＯＦＤＭシンボルのパイロット値を決定する。この場合には、データユニット６２０は４ＭＨｚデータユニットなので、データ部分６２８は、４ＭＨｚのＯＦＤＭシンボルを含み、或る実施形態では、データ部分６２８のＯＦＤＭシンボルに対する特定のパイロット貢献シーケンスが、式１８及び表２を利用して決定される。より広い帯域幅のデータユニットのデータ部分について、ＯＦＤＭシンボルの特定のパイロット貢献シーケンスが、より広いＯＦＤＭシンボルパイロットトーンマッピングに従って決定される（例えば８ＭＨｚのデータユニットについて式１９及び表３）。
【００７５】
或る実施形態では、特定のデータユニットについて、式１３及び１６におけるＯＦＤＭシンボルインデックスｎが、式１３及び１６が利用される全てのＯＦＤＭシンボルについて継続してカウントされる。例えば図６のデータユニット６００を参照すると、式１３及び１６は、或る実施形態において、それぞれＳＩＧフィールド６０６及びデータ部分６０８のパイロットトーンについてパイロットトーン値を決定するために利用される。本実施形態では、ＯＦＤＭシンボルインデックスｎが、ＳＩＧフィールド６０６の第１のＯＦＤＭシンボルについてｎ＝０で開始され、ＳＩＧフィールド６０６及びデータ部分６０８において継続してカウントされ、ＬＴＦフィールド６０４−２から６０４−ＮにおけるＯＦＤＭシンボルが省かれる。従い、ＳＩＧフィールド６０６が２つのＯＦＤＭシンボルを含む場合には、本実施形態では、ｎ＝０、１のインデックスを式１３のＳＩＧフィールド６０６の第１及び第２のＯＦＤＭシンボルにそれぞれ利用する。更に本実施形態では、インデックスｎ＝２を、式１６のデータユニット６００のデータ部分６０８の第１のＯＦＤＭシンボルについて利用して、インデックスｎ＝３を、式１６のデータユニット６００のデータ部分６０８の第２のＯＦＤＭシンボルについて利用する、等々である。
【００７６】
同様に、図６に対する参照を続けると、ＯＦＤＭシンボルインデックスｎが、ＳＩＧフィールド６２６の第１のＯＦＤＭシンボルについてｎ＝０で開始され、或る実施形態では、データユニット６２０のＳＩＧフィールド６２６及びデータ部分６２８において継続してカウントされる。従って、ＳＩＧフィールド６２６が２つのＯＦＤＭシンボルを含む場合には、本実施形態では、ｎ＝０、１のインデックスを式１３のＳＩＧフィールド６２６の第１及び第２のＯＦＤＭシンボルにそれぞれ利用する。更に本実施形態では、インデックスｎ＝２を、式１６のデータユニット６２０のデータ部分６２８の第１のＯＦＤＭシンボルについて利用して、インデックスｎ＝３を、式１６のデータユニット６２０のデータ部分６２８の第２のＯＦＤＭシンボルについて利用する、等々である。
【００７７】
図６のシングルユーザデータユニット６００、６２０に類似した図７を参照すると、式１３及び１６におけるＯＦＤＭシンボルインデックスｎが、或る実施形態では、これら式がマルチユーザデータユニット７００に適用され、式１３及び１６がマルチユーザデータユニット７００で利用される全てのＯＦＤＭシンボルについて継続してカウントされる。或る実施形態では、ＯＦＤＭシンボルインデックスｎが、ＳＩＧＡフィールド７０６の第１のＯＦＤＭシンボルについてｎ＝０で開始され、ＳＩＧＡフィールド７０６、ＳＩＧＢフィールド７１２、及びデータ部分７１４において継続してカウントされ、ＭＵ−ＳＴＦ７０８及びＭＵ−ＬＴＦ７１０が省かれる。故に、ＳＩＧＡフィールド７０６が２つのＯＦＤＭシンボルを含む場合には、本実施形態においては、ｎ＝０、１が式１３でＳＩＧフィールド７０６の第１及び第２のＯＦＤＭシンボルについてそれぞれ利用される。故に本実施形態では、ｎ＝２が式１６のＳＩＧＢフィールド７１２の第１のＯＦＤＭシンボルのために利用される。更に、ＳＩＧＢフィールド７１２が１つのＯＦＤＭシンボルを含む場合、ＯＦＤＭシンボルインデックスｎが、データ部分７１４の第１のＯＦＤＭシンボルについてｎ＝３で継続され、次に、データ部分７１４の第２のＯＦＤＭシンボルについてｎ＝４が利用される、等々である。
【００７８】
図８を参照すると、低帯域幅モードのデータユニット８００の１又は複数の１ＭＨｚのＯＦＤＭシンボルのそれぞれが、或る実施形態では、上述したようにサブキャリア位置{±7}において２つのパイロットトーンを含む。１ＭＨｚのＯＦＤＭシンボルにおける２つのパイロットトーンについてのパイロットトーン値は、幾つかの実施形態において以下のように決定される。
【数２０】
0006314342.tif 000031
ｐｎは、式１４において上述したように与えられたパイロットトーン値シーケンスであり、ａは、パイロットトーン値シーケンスｐｎへのインデックス付けを修正する整数である。或る実施形態では、整数ａは、ＳＩＧフィールド８０６のＯＦＤＭシンボルについてゼロに等しく（ａ＝０）、データ部分８０８のＯＦＤＭシンボルについてNSIGに等しい(a= NSIG)。或る実施形態では、式２０におけるパイロットマッピング関数
【数Ｕ】
0006314342.tif 000032
が、データユニット８００のデータ部分８０８のＳＩＧフィールド８０６のＯＦＤＭシンボルのパイロットトーン貢献シーケンス値を決定するために利用される。故に、これら実施形態で、ＳＩＧフィールド８０６のパイロットトーンのパイロットトーン値、及び、データ部分８０８のパイロットトーンに対するパイロットトーン値は、共同して利用されるパイロットマッピング関数
【数Ｖ】
0006314342.tif 000033
に従って決定される。これら実施形態では、パイロットマッピング関数
【数Ｗ】
0006314342.tif 000034
が、データユニット８００のＳＩＧフィールド８０６とデータ部分８０８との両方におけるＯＦＤＭシンボルに対応しているＯＦＤＭシンボルインデックスｎの関数として、ＯＦＤＭシンボルに対するパイロットトーンシーケンスを生成する。
【００７９】
しかし幾つかの実施形態では、データユニット８００の１ＭＨｚのＯＦＤＭシンボルの２つのパイロットトーンに対するパイロットトーン値は、通常モードのデータユニットに関して上述した方法と類似した方法で、データユニットの様々な異なる部分についてのそれぞれ異なるパイロットマッピング関数に従って決定される。例えば、一実施形態において、式１３は、ＳＩＧフィールド８０６のパイロットトーンのパイロットトーン値を決定するために利用され、式１６は、データ部分８０８のパイロットトーンのパイロットトーン値を決定するために利用される。本実施形態において、パイロットマッピング関数Ｐｎは、ＳＩＧフィールド８０６の全てのＯＦＤＭシンボルについて同じパイロットトーン貢献シーケンスを生成し（特定のＯＦＤＭシンボルのＯＦＤＭシンボルインデックスから独立して）、一方で、データ部分８０８に利用されるパイロットマッピング関数
【数Ｘ】
0006314342.tif 000035
は、ＯＦＤＭシンボルについてのパイロットトーンシーケンスを、ＯＦＤＭシンボルに対応するＯＦＤＭシンボルインデックスｎの関数として生成する。
【００８０】
いずれの場合においても、幾つかの実施形態では、上述した通常モードのデータユニットの場合同様に、式１３、１６、２０のＯＦＤＭシンボルインデックスｎは、パイロットトーンマッピング関数Ｐｎ及び／又は
【数Ｙ】
0006314342.tif 000036
がパイロットトーン値の決定に利用される全てのＯＦＤＭシンボルについて継続してカウントされる。例えば、図８に対する参照を続けると、ＯＦＤＭシンボルインデックスｎは、或る実施形態において、ＳＩＧフィールド８０６の第１のＯＦＤＭシンボルにおいてｎ＝０で開始される。更に、ＯＦＤＭシンボルインデックスｎは、ＳＩＧフィールド８０６の各連続したＯＦＤＭシンボルの１つによって増分されてから、データ部分８０８の第１のＯＦＤＭシンボルで継続され、ＬＴＦ８０４−２から８０４−ＮのＯＦＤＭシンボルは省かれる。従って、或る実施形態においては、例えばＳＩＧフィールド８０６がNSIG個のＯＦＤＭシンボル（NSIG = 5, 6、又は別の適切な数）である場合に、ＯＦＤＭシンボルインデックスn=0 からn= NSIG-1を、ＳＩＧフィールド８０６のＯＦＤＭシンボルに利用して、シンボルインデックスn= NSIG, n= NSIG+1, n= NSIG+2等をデータ部分８０８のＯＦＤＭシンボルに利用する。別の例示的な実施形態では、データ部分８０８の第１のＯＦＤＭシンボルについてＯＦＤＭシンボルインデックスｎ＝０が利用され、データ部分８０８の第２のＯＦＤＭシンボルについてＯＦＤＭシンボルインデックスｎ＝１が利用される、等々である。故に、本実施形態では、ＳＩＧフィールド８０６の第１のＯＦＤＭシンボルについてのＯＦＤＭシンボルインデックスがn=-NSIGであり、ＳＩＧフィールド８０６の最後のＯＦＤＭシンボルのＯＦＤＭシンボルインデックスがn=-1である。
【００８１】
幾つかの実施形態では、低帯域幅のデータユニットに対するパイロットマッピング関数
【数Ａ】
0006314342.tif 000037
（例えば式２０、式１３、及び／又は式１６において）が生成する特定のパイロット貢献シーケンスが、生成されたＯＦＤＭ信号のピーク対平均電力比（ＰＡＰＲ）を低減させたり最小限にしたりするために選択される。例えば、一実施形態では、パイロットマッピング関数
【数Ｂ】
0006314342.tif 000038
が、連続してインデックス付けされるＯＦＤＭシンボルについて、交互に
【数Ｃ】
0006314342.tif 000039
を生成する。例えば、或る実施形態において、ｎ＝０について、パイロットマッピング関数
【数Ｄ】
0006314342.tif 000040
が、
【数Ｅ】
0006314342.tif 000041
を生成し、ｎ＝１について、パイロットマッピング関数
【数Ｆ】
0006314342.tif 000042
が、
【数Ｇ】
0006314342.tif 000043
を生成し、ｎ＝２について、パイロットマッピング関数
【数Ｈ】
0006314342.tif 000044
が、シーケンス
【数Ｉ】
0006314342.tif 000045
を生成する、等々である。他の実施形態では、適切な低ＰＡＰＲを生成する他の適切なパイロット貢献シーケンスが利用される。
【００８２】
別の実施形態では、低帯域幅のデータユニットに対するパイロットマッピング関数Ｐｎ及び／又はパイロットマッピング関数
【数Ｊ】
0006314342.tif 000046
が、パイロット貢献シーケンスＰｎ及び
【数Ｋ】
0006314342.tif 000047
において、最低帯域幅の通常モードのデータユニットについて利用される、対応するサブキャリアインデックスの値をそれぞれ利用する。例えば、パイロットマッピング関数Ｐｎ及び／又はパイロットマッピング関数
【数Ｌ】
0006314342.tif 000048
は、幾つかの実施形態において、２ＭＨｚのＯＦＤＭシンボルの上述したサブキャリアインデックス{±7}における値を利用する。他の実施形態では、通常モードのデータユニットのパイロット貢献シーケンスに基づいて他の適切な値（例えば、通常モードのデータユニットについて定義された任意の（必ずしも最低の通常モードの帯域幅ではない）ＯＦＤＭシンボルパイロット貢献シーケンスのいずれかの２つのパイロットトーンに対応する値）を、低帯域幅のデータユニットに利用する。
【００８３】
図９は、或る実施形態における、データユニットを生成する例示的な方法９００のフロー図である。図１を参照すると、方法９００は、或る実施形態ではネットワークインタフェース１６によって実装される。例えばこのような実施形態の１つでは、ＰＨＹ処理ユニット２０が、方法９００を実装するように構成される。別の実施形態では、ＭＡＣ処理１８も、方法９００の少なくとも一部分を実装するよう構成されている。図１の参照を続けると、また別の実施形態では、方法９００が、ネットワークインタフェース２７によって実装される（例えばＰＨＹ処理ユニット２９及び／又はＭＡＣ処理ユニット２８）。他の実施形態では、方法９００が、他の適切なネットワークインタフェースによって実装される。
【００８４】
ブロック９０２において第１のセットのＯＦＤＭシンボルについて、パイロットマッピング関数を利用して、パイロットトーン貢献シーケンス値を決定する。第１のセットのＯＦＤＭシンボルは、データユニットの信号フィールドに含まれるべきものである。図８を参照すると、或る例として、第１のセットのＯＦＤＭパイロットトーンは、或る実施形態で、データユニット８００のＳＩＧフィールド８０６に含まれるべきものである。ブロック９０４で、パイロットトーン貢献シーケンス値が、第２のセットのＯＦＤＭシンボルについて決定される。第２のセットのＯＦＤＭシンボルは、データユニットのデータ部分に含まれるべきものである。図８の例示的なデータユニット８００の参照を続けると、或る実施形態で、第２のセットのＯＦＤＭシンボルが、データユニット８００のデータ部分８０８に含まれるべきものである。或る実施形態では、第２のセットのＯＦＤＭシンボルに対するパイロットトーン貢献シーケンス値は、ブロック９０２で第１のセットのＯＦＤＭシンボルに対するパイロットトーン値を決定するために利用されたものと同じパイロットマッピング関数を利用して決定される。或る例として、ブロック９０２、９０４におけるパイロットトーン値が、或る実施形態では、式２０に従って、及び、式２０のパイロットマッピング関数
【数Ｍ】
0006314342.tif 000049
を利用して決定される。他の実施形態では、他の適切なパイロットマッピング関数が利用される。
【００８５】
ブロック９０６で、第１のセットのＯＦＤＭシンボルが、ブロック９０２で第１のセットのＯＦＤＭシンボルに対して決定されたパイロットトーン貢献シーケンス値に従って変調されたパイロットトーンを含むように生成される。ブロック９０８で、第２のセットのＯＦＤＭシンボルが、ブロック９０４で第２のセットのＯＦＤＭシンボルに対して決定されたパイロットトーン貢献シーケンス値に従って変調されたパイロットトーンを含むように生成される。
【００８６】
ブロック９１０で、信号フィールドが、ブロック９０６で生成された第１のセットのＯＦＤＭシンボルを含むように生成される。図８を参照すると、一実施形態において、データユニット８００のＳＩＧフィールド８０６が生成される。他の実施形態では、他の適切な信号フィールド及び／又は他の適切なデータユニットの信号フィールドが、ブロック９０６で生成された第１のセットのＯＦＤＭシンボルを含むように生成される。ブロック９１２で、データ部分が、ブロック９０８で生成された第２のセットのＯＦＤＭシンボルを含むように生成される。ここでまた図８を参照すると、一実施形態において、データユニット８００のデータ部分８０８が生成される。他の実施形態では、他の適切なデータユニットのデータ部分が、ブロック９０８で生成された第２のセットのＯＦＤＭシンボルを含むように生成される。ブロック９１２で、データユニットが、ブロック９１０で生成された信号フィールドとブロック９１２で生成されたデータ部分とを少なくとも含むよう生成される。或る実施形態では、図８のデータユニット８００が生成される。他の実施形態では、他の適切なデータユニットが生成される。
【００８７】
或る実施形態では、通信チャネルを介して送信するための物理層（ＰＨＹ）データユニットを生成するための方法が、パイロットマッピング関数を利用して、第１のセットの直交周波数分割多重（ＯＦＤＭ）シンボルに対するパイロットトーン貢献シーケンス値を決定することを含み、第１のセットのＯＦＤＭシンボルは、データユニットの信号フィールドに含まれるべきものである。方法は更に、パイロットマッピング関数を利用して、第２のセットのＯＦＤＭシンボルに対するパイロットトーン貢献シーケンス値を決定することを含み、第２のセットのＯＦＤＭシンボルは、データユニットのデータ部分に含まれるべきものである。方法は更に、第１のセットのＯＦＤＭシンボルに対して決定されたパイロットトーン貢献シーケンス値に基づいて変調されたパイロットトーンを含むように第１のセットのＯＦＤＭシンボルを生成することと、第２のセットのＯＦＤＭシンボルに対して決定されたパイロットトーン貢献シーケンス値に基づいて変調されたパイロットトーンを含むように第２のセットのＯＦＤＭシンボルを生成することとを含む。方法は更に、信号フィールドを第１のセットのＯＦＤＭシンボルを含むよう生成することと、データ部分を第２のセットのＯＦＤＭシンボルを含むよう生成することとを含む。方法は、加えて、データユニットを信号フィールドとデータ部分とを少なくとも含むよう生成することを含む。
【００８８】
他の実施形態では、方法は、以下の要素の１又は複数の任意の組み合わせを含む。
【００８９】
ＯＦＤＭシンボルに対するパイロットトーン貢献シーケンス値を決定することは、少なくとも部分的に、ＯＦＤＭシンボルに対応しているＯＦＤＭシンボルインデックスに基づく。
【００９０】
第１のセットのＯＦＤＭシンボルを生成することは、第１のＯＦＤＭシンボルと第２のＯＦＤＭシンボルとを少なくとも生成することを含む。
【００９１】
第１のＯＦＤＭシンボルに対して決定されたパイロットトーン貢献シーケンス値は、第２のＯＦＤＭシンボルに対して決定された対応するパイロットトーン貢献値とは異なる。
【００９２】
第１のセットのＯＦＤＭシンボルの各ＯＦＤＭシンボルは、２つのパイロットトーンを含み、第２のセットのＯＦＤＭシンボルの各ＯＦＤＭシンボルは、２つのパイロットトーンを含む。
【００９３】
パイロットマッピング関数に従ってパイロットトーン貢献シーケンス値を決定することは、(a) {1,-1}又は(b) {-1,1}を選択することを含み、(a)及び(b)の異なるほうが、連続してインデックス付けされるＯＦＤＭシンボルのために選択される。
【００９４】
データユニットを生成することは更に、データユニットに複数のロングトレーニングフィールドを含めることと、複数のロングトレーニングフィールドをマッピングマトリックスを利用して複数の空間ストリームにマッピングすることと、第１のセットのＯＦＤＭシンボルのパイロットトーンを、マッピングマトリックスの列を利用して複数の空間ストリームにマッピングすることであって、パイロットトーンを複数の空間ストリームにマッピングするために利用されるマッピングマトリックスの列は、マッピングマトリックスの第１列であることと、第２のセットのＯＦＤＭシンボルのパイロットトーンを、マッピングマトリックスの列を利用して複数の空間ストリームにマッピングすることとを含む。
【００９５】
データユニットは、第１のデータユニットであり、パイロットトーン貢献シーケンスは、第１のパイロットトーン貢献シーケンスである。
【００９６】
方法は更に、第２のパイロットマッピング関数を利用して、第３のセットのＯＦＤＭシンボルに対するパイロットトーン貢献シーケンス値を決定することを含み、第３のセットのＯＦＤＭシンボルは、第２のデータユニットの信号フィールドに含められるべきものである。
【００９７】
方法は更に、第３のパイロットマッピング関数を利用して、第４のセットのＯＦＤＭシンボルに対するパイロットトーン値を決定することを含み、第４のセットのＯＦＤＭシンボルは、第２のデータユニットのデータ部分に含められるべきものであり、第３のパイロットマッピング関数は、第２のパイロットマッピング関数と異なる。
【００９８】
方法は更に、第３のセットのＯＦＤＭシンボルを、第３のセットのＯＦＤＭシンボルについて決定されたパイロットトーン貢献シーケンス値に基づいて変調されたパイロットトーンを含むよう生成することを含む。
【００９９】
方法は更に、第４のセットのＯＦＤＭシンボルを、第４のセットのＯＦＤＭシンボルについて決定されたパイロットトーン貢献シーケンス値に基づいて変調されたパイロットトーンを含むよう生成することを含む。
【０１００】
方法は更に、第２のデータユニットの信号フィールドを、第３のセットのＯＦＤＭシンボルを含むよう生成することと、第２のデータユニットのデータ部分を、第４のセットのＯＦＤＭシンボルを含むよう生成することと、第２のデータユニットを、第２のデータユニットの信号フィールドと第２のデータユニットのデータ部分とを少なくとも含むよう生成することとを含む。
【０１０１】
第１のデータユニットは、低帯域幅モードで送信されるべき低帯域幅モードのデータユニットであり、第２のデータユニットは、通常モードで送信されるべき通常モードのデータユニットである。
【０１０２】
第３のセットのＯＦＤＭシンボルを生成することは、第３のＯＦＤＭシンボルと第４のＯＦＤＭシンボルとを少なくとも生成することを含む。
【０１０３】
第３のＯＦＤＭシンボルに対して決定されたパイロットトーン貢献シーケンス値は、第４のＯＦＤＭシンボルについて決定された対応するパイロットトーン貢献シーケンス値と同じである。
【０１０４】
第３のパイロットマッピング関数に応じてＯＦＤＭシンボルに対するパイロットトーン貢献シーケンス値を決定することは、少なくとも部分的に、ＯＦＤＭシンボルに対応しているＯＦＤＭシンボルインデックスに基づく。
【０１０５】
別の実施形態では、装置が、パイロットマッピング関数を利用して、第１のセットの直交周波数分割多重（ＯＦＤＭ）シンボルに対するパイロットトーン貢献シーケンス値を決定するよう構成されたネットワークインタフェースを含み、第１のセットのＯＦＤＭシンボルは、データユニットの信号フィールドに含められるべきものである。ネットワークインタフェースは更に、パイロットマッピング関数を利用して、第２のセットのＯＦＤＭシンボルに対するパイロットトーン貢献シーケンス値を決定するよう構成されており、第２のセットのＯＦＤＭシンボルは、データユニットのデータ部分に含められるべきものである。ネットワークインタフェースは更に、第１のセットのＯＦＤＭシンボルに対して決定されたパイロットトーン貢献シーケンス値に基づいて変調されたパイロットトーンを含むように第１のセットのＯＦＤＭシンボルを生成し、第２のセットのＯＦＤＭシンボルに対して決定されたパイロットトーン貢献シーケンス値に基づいて変調されたパイロットトーンを含むように第２のセットのＯＦＤＭシンボルを生成するよう構成されている。ネットワークインタフェースは更に、信号フィールドを第１のセットのＯＦＤＭシンボルを含むよう生成することと、データ部分を第２のセットのＯＦＤＭシンボルを含むよう生成するよう構成されている。ネットワークインタフェースは、加えて、データユニットを、信号フィールドとデータ部分とを少なくとも含むよう生成するよう構成されている。
【０１０６】
他の実施形態では、装置が、以下の要素の１又は複数の任意の組み合わせを含む。
【０１０７】
ネットワークインタフェースは、ＯＦＤＭシンボルに対するパイロットトーン貢献シーケンス値を、少なくとも部分的に、ＯＦＤＭシンボルに対応しているＯＦＤＭシンボルインデックスに基づき決定するよう構成されている。
【０１０８】
ネットワークインタフェースは、第１のセットのＯＦＤＭシンボルを、少なくとも第１のＯＦＤＭシンボルと第２のＯＦＤＭシンボルとを少なくとも生成することにより生成するよう構成されている。
【０１０９】
第１のＯＦＤＭシンボルに対して決定されたパイロットトーン貢献シーケンス値の少なくとも幾つかは、第２のＯＦＤＭシンボルに対して決定された対応するパイロットトーン貢献値と異なる。
【０１１０】
第１のセットのＯＦＤＭシンボルの各ＯＦＤＭシンボルは、２つのパイロットトーンを含み、第２のセットのＯＦＤＭシンボルの各ＯＦＤＭシンボルは、２つのパイロットトーンを含む。
【０１１１】
ネットワークインタフェースは、パイロットマッピング関数に従ってパイロットトーン貢献シーケンス値を、少なくとも(a) {1,-1}又は(b) {-1,1}を選択することによって決定するよう構成されており、ここで、(a)及び(b)の異なるほうが、連続してインデックス付けされるＯＦＤＭシンボルのために選択される。
【０１１２】
ネットワークインタフェースは更に、データユニットに複数のロングトレーニングフィールドを含め、複数のロングトレーニングフィールドをマッピングマトリックスを利用して複数の空間ストリームにマッピングし、第１のセットのＯＦＤＭシンボルのパイロットトーンを、マッピングマトリックスの列を利用して複数の空間ストリームにマッピングし、パイロットトーンを複数の空間ストリームにマッピングするために利用されるマッピングマトリックスの列は、マッピングマトリックスの第１列であり、第２のセットのＯＦＤＭシンボルのパイロットトーンを、マッピングマトリックスの列を利用して複数の空間ストリームにマッピングするよう構成されている。
【０１１３】
データユニットは、第１のデータユニットであり、パイロットトーン貢献シーケンスは、第１のパイロットトーン貢献シーケンスである。
【０１１４】
ネットワークインタフェースは更に、第２のパイロットマッピング関数を利用して、第３のセットのＯＦＤＭシンボルに対するパイロットトーン貢献シーケンス値を決定するよう構成されており、第３のセットのＯＦＤＭシンボルは、第２のデータユニットの信号フィールドに含められるべきものである。
【０１１５】
ネットワークインタフェースは更に、第３のパイロットマッピング関数を利用して、第４のセットのＯＦＤＭシンボルに対するパイロットトーン値を決定するよう構成されており、第４のセットのＯＦＤＭシンボルは、第２のデータユニットのデータ部分に含められるべきものであり、第３のパイロットマッピング関数は、第２のパイロットマッピング関数と異なる。
【０１１６】
ネットワークインタフェースは更に、第３のセットのＯＦＤＭシンボルを、第３のＯＦＤＭシンボルのセットについて決定されたパイロットトーン貢献シーケンス値に基づいて変調されたパイロットトーンを含むよう生成するよう構成されている。
【０１１７】
ネットワークインタフェースは更に、第４のセットのＯＦＤＭシンボルを、第４のセットのＯＦＤＭシンボルについて決定されたパイロットトーン貢献シーケンス値に基づいて変調されたパイロットトーンを含むよう生成するよう構成されている。
【０１１８】
ネットワークインタフェースは更に、第２のデータユニットの信号フィールドを、第３のセットのＯＦＤＭシンボルを含むよう生成し、第２のデータユニットのデータ部分を、第４のセットのＯＦＤＭシンボルを含むよう生成し、第２のデータユニットを、第２のデータユニットの信号フィールドと第２のデータユニットのデータ部分とを少なくとも含むよう生成するよう構成されている。
【０１１９】
第１のデータユニットは、低帯域幅モードで送信されるべき低帯域幅モードのデータユニットであり、第２のデータユニットは、通常モードで送信されるべき通常モードのデータユニットである。
【０１２０】
ネットワークインタフェースは、第３のセットのＯＦＤＭシンボルを、少なくとも第３のＯＦＤＭシンボルと第４のＯＦＤＭシンボルとを少なくとも生成することにより生成するよう構成されている。
【０１２１】
第３のＯＦＤＭシンボルに対して決定されたパイロットトーン貢献シーケンス値は、第４のＯＦＤＭシンボルについて決定された対応するパイロットトーン貢献シーケンス値と同じである。
【０１２２】
第４のマッピング関数に応じてＯＦＤＭシンボルに対するパイロットトーン値を決定することは、少なくとも部分的に、ＯＦＤＭシンボルに対応しているＯＦＤＭシンボルインデックスに基づく。
【０１２３】
上述した様々なブロック、動作、及び技術の少なくとも幾つかは、ハードウェア、ファームウェア命令を実行するプロセッサ、ソフトウェア命令を実行するプロセッサ、又はこれらの任意の組み合わせによって実装されてよい。ソフトウェア又はファームウェア命令を実行するプロセッサを利用して実装される場合、ソフトウェア又はファームウェア命令は、磁気ディスク、光ディスク、又はその他の格納媒体、ＲＡＭ又はＲＯＭ又はフラッシュメモリ、プロセッサ、ハードディスクドライブ、光ディスクドライブ、テープドライブ等の任意のコンピュータ可読メモリに格納されてよい。同様に、ソフトウェア又はファームウェア命令は、ユーザ又はシステムに、例えばコンピュータ可読ディスク又は他のトランスポート可能なコンピュータ格納メカニズム又は通信媒体によることを含む任意の公知の又は所望の配信方法を介して配信されてよい。通常、通信媒体は、搬送波又はその他のトランスポートメカニズム等の変調されたデータ信号における、コンピュータ可読命令、データ構造、プログラムモジュール、又は、他のデータを具現化する。「変調されたデータ信号」という用語は、その特徴の１又は複数が、信号の情報をエンコードするようにセットまたは変更された信号のことを意味する。例としてであり限定ではないが、通信媒体は、有線ネットワーク又は直接有線接続等の有線媒体、及び、アコースティック、無線周波数、赤外線及びその他の無線媒体等の無線媒体を含む。従って、ソフトウェア又はファームウェア命令は、電話回線、ＤＳＬライン、ケーブルテレビ回線、光ファイバ回線、無線通信チャネル、インターネット等の通信チャネルを介してユーザ又はシステムに配信されてよい（これらは、これらソフトウェアをトランスポート可能な格納媒体を介して提供することと同じまたは交換可能なこととして見られる）。ソフトウェア又はファームウェア命令は、プロセッサにより実行されると、プロセッサに様々な動作を実行させる機械可読命令を含んでよい。
【０１２４】
ハードウェアで実装される場合、ハードウェアは、離散コンポーネント、集積回路、特定用途向け集積回路（ＡＳＩＣ）等の１又は複数を含んでよい。
【０１２５】
本発明を特定の例を参照して説明してきたが、これらは例示のみを意図したものであり、本発明を限定することは意図しておらず、開示された実施形態には、請求項の範囲を逸脱せずに変更、追加、及び／又は削除を行うことができる。
【図１】
0006314342.tif 000050
【図２】
0006314342.tif 000051
【図３】
0006314342.tif 000052
【図４】
0006314342.tif 000053
【図５】
0006314342.tif 000054
【図６】
0006314342.tif 000055
【図７】
0006314342.tif 000056
【図８】
0006314342.tif 000057
【図９】
0006314342.tif 000058